(57)【要約】【課題】貨幣処理装置内の貨幣の枚数が少なくなったことを目立たせる。【解決手段】少なくとも出金処理が可能な貨幣処理装置１００，２００は、金種別に貨幣を収納する金種別収納部１６１，２６１と、ある金種の金種別収納部１６１，２６１に収納された貨幣の枚数が、設定された閾値以上であるか否かについて判断する制御部１０と、制御部１０がある金種の金種別収納部１６１，２６１に収納された貨幣の枚数を閾値以上であると判断した場合と閾値未満であると判断した場合とで、当該ある金種の在高に関する情報を異なる態様で表示する表示部４０と、を備えている。【選択図】図９
2016085596.tif 000002
【特許請求の範囲】
【請求項１】
少なくとも出金処理が可能な貨幣処理装置において、
金種別に貨幣を収納する金種別収納部と、
ある金種の前記金種別収納部に収納された貨幣の枚数が、設定された閾値以上であるか否かについて判断する制御部と、
前記制御部が前記ある金種の前記金種別収納部に収納された貨幣の枚数を前記閾値以上であると判断した場合と前記閾値未満であると判断した場合とで、当該ある金種の在高に関する情報を異なる態様で表示する表示部と、
を備えたことを特徴とする貨幣処理装置。
【請求項２】
前記制御部が、前記ある金種の前記金種別収納部に収納された貨幣の枚数が前記閾値以上であると判断した場合には、前記表示部は当該ある金種の在高に関する文字情報を表示せず、
前記制御部が、前記ある金種の前記金種別収納部に収納された貨幣の枚数が前記閾値未満であると判断した場合には、前記表示部は当該ある金種の在高に関する文字情報を表示することを特徴とする請求項１に記載の貨幣処理装置。
【請求項３】
前記制御部が、前記ある金種の前記金種別収納部に収納された貨幣の枚数が前記閾値以上であると判断した場合には、前記表示部は当該ある金種の在高に関するグラフを表示し、
前記制御部が、前記ある金種の前記金種別収納部に収納された貨幣の枚数が前記閾値未満であると判断した場合には、前記表示部は当該ある金種の在高に関するグラフを表示しないことを特徴とする請求項１又は２のいずれかに記載の貨幣処理装置。
【請求項４】
前記制御部が前記ある金種の前記金種別収納部に収納された貨幣の枚数が前記閾値以上であると判断した場合と前記閾値未満であると判断した場合とで、当該ある金種に関する情報又は当該ある金種に関する情報を表示する領域の背景を前記表示部が異なる色で表示することを特徴とする請求項１乃至３のいずれか１項に記載の貨幣処理装置。
【請求項５】
前記制御部が、前記ある金種の前記金種別収納部に収納された貨幣の枚数が前記閾値以上であると判断した場合には、前記表示部は当該ある金種の在高に関する情報を表示せず、
前記制御部が、前記ある金種の前記金種別収納部に収納された貨幣の枚数が前記閾値未満であると判断した場合には、前記表示部は当該ある金種の在高に関する情報を表示することを特徴とする請求項１に記載の貨幣処理装置。
【請求項６】
前記在高に関する情報は、在高に関する文字情報を含むことを特徴とする請求項５に記載の貨幣処理装置。
【請求項７】
前記制御部が、前記ある金種の前記金種別収納部に収納された貨幣の枚数が前記閾値以上であると判断した場合には、前記表示部は当該ある金種の補充処理に関する情報を表示せず、
前記制御部が、前記ある金種の前記金種別収納部に収納された貨幣の枚数が前記閾値未満であると判断した場合には、前記表示部は当該ある金種の補充処理に関する情報を表示することを特徴とする請求項１乃至６のいずれか１項に記載の貨幣処理装置。
【請求項８】
前記閾値は、第一閾値と、前記第一閾値よりも小さな第二閾値とを含み、
前記制御部が、前記ある金種の前記金種別収納部に収納された貨幣の枚数を、前記第一閾値以上であると判断した場合、前記第一閾値未満であって前記第二閾値以上であると判断した場合、及び、前記第二閾値未満であると判断した場合の各々で、前記表示部における表示態様が異なることを特徴とする請求項１乃至７のいずれか１項に記載の貨幣処理装置。
【請求項９】
前記閾値は、第一閾値と、前記第一閾値よりも小さな第二閾値とを含み、
前記閾値が前記第一閾値であることを特徴とする請求項２、３及び５乃至７のいずれか１項に記載の貨幣処理装置。
【請求項１０】
通常処理モードにおいて、前記制御部は、ある金種の前記金種別収納部に収納された貨幣の枚数が、設定された閾値以上であるか否かについて判断し、
前記通常処理モードにおいて、前記制御部が前記ある金種の前記金種別収納部に収納された貨幣の枚数を前記閾値以上であると判断した場合と前記閾値未満であると判断した場合とで、当該ある金種の在高に関する情報を前記表示部が異なる態様で表示することを特徴とする請求項１乃至９のいずれか１項に記載の貨幣処理装置。
【請求項１１】
前記通常処理モードにおいて、前記制御部が前記ある金種の前記金種別収納部に収納された貨幣の枚数が前記閾値以上であると判断した場合に、前記表示部は、当該ある金種の前記金種別収納部に収納された貨幣の枚数に関する文字情報を表示しない、又は、グラフを表示し、
前記通常処理モードにおいて、前記制御部が前記ある金種の前記金種別収納部に収納された貨幣の枚数が前記閾値未満であると判断した場合に、前記表示部は、当該ある金種の前記金種別収納部に収納された貨幣の枚数に関する文字情報を表示する、又は、グラフを表示しないことを特徴とする請求項１０に記載の貨幣処理装置。
【請求項１２】
補充処理モードにおいて、前記制御部は、ある金種の前記金種別収納部に収納された貨幣の枚数が、設定された閾値以上であるか否かについて判断し、
前記補充処理モードにおいて、前記制御部が前記ある金種の前記金種別収納部に収納された貨幣の枚数を前記閾値以上であると判断した場合と前記閾値未満であると判断した場合とで、当該ある金種の在高に関する情報を前記表示部が異なる態様で表示することを特徴とする請求項１乃至１１のいずれか１項に記載の貨幣処理装置。
【請求項１３】
前記補充処理モードにおいて、前記制御部が前記ある金種の前記金種別収納部に収納された貨幣の枚数が前記閾値以上であると判断した場合に、前記表示部は、当該ある金種の前記金種別収納部に収納された貨幣の枚数に関する在高情報を表示せず、
前記補充処理モードにおいて、前記制御部が前記ある金種の前記金種別収納部に収納された貨幣の枚数が前記閾値未満であると判断した場合に、前記表示部は、当該ある金種の前記金種別収納部に収納された貨幣の枚数に関する在高情報を表示することを特徴とする請求項１２に記載の貨幣処理装置。  
【請求項１４】
金種別に貨幣を収納する金種別収納部を有し、少なくとも出金処理が可能な貨幣処理装置を含む貨幣処理システムであって、
ある金種の前記金種別収納部に収納された貨幣の枚数が、設定された閾値以上であるか否かについて判断する制御部と、
前記制御部が前記ある金種の前記金種別収納部に収納された貨幣の枚数を前記閾値以上であると判断した場合と前記閾値未満であると判断した場合とで、当該ある金種の在高に関する情報を異なる態様で表示する表示部と、
を備えることを特徴とする貨幣処理システム。
【請求項１５】
金種別に貨幣を収納する金種別収納部を有し、少なくとも出金処理が可能な貨幣処理装置を用いた処理方法において、
制御部によって、ある金種の前記金種別収納部に収納された貨幣の枚数が、設定された閾値以上であるか否かについて判断することと、
表示部によって、前記ある金種の在高に関する情報を表示することと、
を備え、
前記表示部は、前記制御部が前記ある金種の前記金種別収納部に収納された貨幣の枚数を前記閾値以上であると判断した場合と前記閾値未満であると判断した場合とで、当該ある金種の在高に関する情報を異なる態様で表示することを特徴とする処理方法。
【発明の詳細な説明】
【技術分野】
【０００１】
本発明は、貨幣を処理する貨幣処理装置、貨幣処理システム及び処理方法に関する。
【背景技術】
【０００２】
従来から、貨幣の処理を行う貨幣処理装置であって、様々な情報を表示する表示部を備えたものが知られている（例えば、特許文献１参照）。特許文献１では、操作表示部に硬貨処理装置及び紙幣処理装置に収納された硬貨及び紙幣の金種毎の枚数が、文字情報及びインジケータを用いて常時表示されている。
【先行技術文献】
【特許文献】
【０００３】
【特許文献１】特開２０１３−１０１５４６号公報
【発明の概要】
【発明が解決しようとする課題】
【０００４】
しかしながら、特許文献１で開示された貨幣処理装置のように、硬貨処理装置及び紙幣処理装置に収納された硬貨及び紙幣の金種毎の枚数が文字情報及びインジケータを用いて常時表示されていると、貨幣処理装置内の貨幣の枚数が少なくなってしまい補充が必要になってしまった場合等であっても、その情報が目立たなくなってしまう。
【０００５】
本発明は、このような点を鑑みてなされたものであり、貨幣処理装置内の貨幣の枚数が少なくなったことを目立たせることができる貨幣処理装置、貨幣処理システム及び処理方法を提供する。
【課題を解決するための手段】
【０００６】
本発明による貨幣処理装置は、
少なくとも出金処理が可能な貨幣処理装置であって、
金種別に貨幣を収納する金種別収納部と、
ある金種の前記金種別収納部に収納された貨幣の枚数が、設定された閾値以上であるか否かについて判断する制御部と、
前記制御部が前記ある金種の前記金種別収納部に収納された貨幣の枚数を前記閾値以上であると判断した場合と前記閾値未満であると判断した場合とで、当該ある金種の在高に関する情報を異なる態様で表示する表示部と、
を備える。
【０００７】
本発明による貨幣処理装置において、
前記制御部が、前記ある金種の前記金種別収納部に収納された貨幣の枚数が前記閾値以上であると判断した場合には、前記表示部は当該ある金種の在高に関する文字情報を表示せず、
前記制御部が、前記ある金種の前記金種別収納部に収納された貨幣の枚数が前記閾値未満であると判断した場合には、前記表示部は当該ある金種の在高に関する文字情報を表示してもよい。
【０００８】
本発明による貨幣処理装置において、
前記制御部が、前記ある金種の前記金種別収納部に収納された貨幣の枚数が前記閾値以上であると判断した場合には、前記表示部は当該ある金種の在高に関するグラフを表示し、
前記制御部が、前記ある金種の前記金種別収納部に収納された貨幣の枚数が前記閾値未満であると判断した場合には、前記表示部は当該ある金種の在高に関するグラフを表示しなくてもよい。
【０００９】
本発明による貨幣処理装置において、
前記制御部が前記ある金種の前記金種別収納部に収納された貨幣の枚数が前記閾値以上であると判断した場合と前記閾値未満であると判断した場合とで、当該ある金種に関する情報又は当該ある金種に関する情報を表示する領域の背景を前記表示部が異なる色で表示してもよい。
【００１０】
本発明による貨幣処理装置において、
前記制御部が、前記ある金種の前記金種別収納部に収納された貨幣の枚数が前記閾値以上であると判断した場合には、前記表示部は当該ある金種の在高に関する情報を表示せず、
前記制御部が、前記ある金種の前記金種別収納部に収納された貨幣の枚数が前記閾値未満であると判断した場合には、前記表示部は当該ある金種の在高に関する情報を表示してもよい。
【００１１】
本発明による貨幣処理装置において、
前記在高に関する情報は、在高に関する文字情報を含んでもよい。
【００１２】
本発明による貨幣処理装置において、
前記制御部が、前記ある金種の前記金種別収納部に収納された貨幣の枚数が前記閾値以上であると判断した場合には、前記表示部は当該ある金種の補充処理に関する情報を表示せず、
前記制御部が、前記ある金種の前記金種別収納部に収納された貨幣の枚数が前記閾値未満であると判断した場合には、前記表示部は当該ある金種の補充処理に関する情報を表示してもよい。
【００１３】
本発明による貨幣処理装置において、
前記閾値は、第一閾値と、前記第一閾値よりも小さな第二閾値とを含み、
前記制御部が、前記ある金種の前記金種別収納部に収納された貨幣の枚数を、前記第一閾値以上であると判断した場合、前記第一閾値未満であって前記第二閾値以上であると判断した場合、及び、前記第二閾値未満であると判断した場合の各々で、前記表示部における表示態様が異なってもよい。
【００１４】
本発明による貨幣処理装置において、
前記閾値は、第一閾値と、前記第一閾値よりも小さな第二閾値とを含み、
前記閾値が前記第一閾値であってもよい。
【００１５】
本発明による貨幣処理装置において、
通常処理モードにおいて、前記制御部は、ある金種の前記金種別収納部に収納された貨幣の枚数が、設定された閾値以上であるか否かについて判断し、
前記通常処理モードにおいて、前記制御部が前記ある金種の前記金種別収納部に収納された貨幣の枚数を前記閾値以上であると判断した場合と前記閾値未満であると判断した場合とで、当該ある金種の在高に関する情報を前記表示部が異なる態様で表示してもよい。
【００１６】
本発明による貨幣処理装置において、
前記通常処理モードにおいて、前記制御部が前記ある金種の前記金種別収納部に収納された貨幣の枚数が前記閾値以上であると判断した場合に、前記表示部は、当該ある金種の前記金種別収納部に収納された貨幣の枚数に関する文字情報を表示しない、又は、グラフを表示し、
前記通常処理モードにおいて、前記制御部が前記ある金種の前記金種別収納部に収納された貨幣の枚数が前記閾値未満であると判断した場合に、前記表示部は、当該ある金種の前記金種別収納部に収納された貨幣の枚数に関する文字情報を表示する、又は、グラフを表示しなくてもよい。
【００１７】
本発明による貨幣処理装置において、
補充処理モードにおいて、前記制御部は、ある金種の前記金種別収納部に収納された貨幣の枚数が、設定された閾値以上であるか否かについて判断し、
前記補充処理モードにおいて、前記制御部が前記ある金種の前記金種別収納部に収納された貨幣の枚数を前記閾値以上であると判断した場合と前記閾値未満であると判断した場合とで、当該ある金種の在高に関する情報を前記表示部が異なる態様で表示してもよい。
【００１８】
本発明による貨幣処理装置において、
前記補充処理モードにおいて、前記制御部が前記ある金種の前記金種別収納部に収納された貨幣の枚数が前記閾値以上であると判断した場合に、前記表示部は、当該ある金種の前記金種別収納部に収納された貨幣の枚数に関する在高情報を表示せず、
前記補充処理モードにおいて、前記制御部が前記ある金種の前記金種別収納部に収納された貨幣の枚数が前記閾値未満であると判断した場合に、前記表示部は、当該ある金種の前記金種別収納部に収納された貨幣の枚数に関する在高情報を表示してもよい。  
【００１９】
本発明による貨幣処理システムは、
金種別に貨幣を収納する金種別収納部を有し、少なくとも出金処理が可能な貨幣処理装置を含む貨幣処理システムであって、
ある金種の前記金種別収納部に収納された貨幣の枚数が、設定された閾値以上であるか否かについて判断する制御部と、
前記制御部が前記ある金種の前記金種別収納部に収納された貨幣の枚数を前記閾値以上であると判断した場合と前記閾値未満であると判断した場合とで、当該ある金種の在高に関する情報を異なる態様で表示する表示部と、
を備える。
【００２０】
本発明による処理方法は、
金種別に貨幣を収納する金種別収納部を有し、少なくとも出金処理が可能な貨幣処理装置を用いた処理方法において、
制御部によって、ある金種の前記金種別収納部に収納された貨幣の枚数が、設定された閾値以上であるか否かについて判断することと、
表示部によって、前記ある金種の在高に関する情報を表示することと、
を備え、
前記表示部は、前記制御部が前記ある金種の前記金種別収納部に収納された貨幣の枚数を前記閾値以上であると判断した場合と前記閾値未満であると判断した場合とで、当該ある金種の在高に関する情報を異なる態様で表示する。
【発明の効果】
【００２１】
本発明によれば、ある金種の金種別収納部に収納された貨幣の枚数が、設定された閾値以上であるか否かが判断され、ある金種の金種別収納部に収納された貨幣の枚数を閾値以上であると判断した場合と閾値未満であると判断した場合とで、当該ある金種の在高に関する情報を異なる態様で表示する。このため、貨幣処理装置内の貨幣の枚数が少なくなったことを目立たせることができる。
【図面の簡単な説明】
【００２２】
【図１】図１は、本発明の実施の形態による貨幣処理システムの一部を示す斜視図である。
【図２】図２は、本発明の実施の形態による貨幣処理システムの構成を示す概略構成図である。
【図３】図３は、本発明の実施の形態による貨幣処理システムの構成を簡略化して示した制御ブロック図である。
【図４】図４は、本発明の実施の形態による貨幣処理システムの構成を示した制御ブロック図である。
【図５】図５は、本発明の実施の形態の変形例による貨幣処理システムの構成を示す概略構成図である。
【図６】図６は、本発明の実施の形態の変形例による貨幣処理システムにける精査処理の流れの概略を示した図である。
【図７】図７（ａ）は、本発明の実施の形態の変形例による貨幣処理システムにけるオーバーフローの退避処理の流れの概略を示した図であり、図７（ｂ）は、オーバーフローの復活処理の流れの概略を示した図である。
【図８】図８は、本発明の実施の形態で採用される表示部で表示される表示態様であって、第一閾値未満の貨幣が存在しない際の態様を示した図である。
【図９】図９は、本発明の実施の形態で採用される表示部で表示される表示態様の一例を示した図である。
【図１０】図１０は、本発明の実施の形態で採用される表示部で表示される表示態様の別の例を示した図である。
【図１１】図１１（ａ）は、本発明の実施の形態で採用される表示部で表示される表示態様であって、オーバーフローした硬貨が第三閾値以上となったときの態様を示した図であり、図１１（ｂ）は、オーバーフローした硬貨が第四閾値以上となったときの態様を示した図である。
【図１２】図１２（ａ）は、本発明の実施の形態で採用される表示部で表示される表示態様であって、オーバーフローした紙幣が第三閾値以上となったときの態様を示した図であり、図１２（ｂ）は、オーバーフローした紙幣が第四閾値以上となったときの態様を示した図である。
【図１３】図１３（ａ）は、本発明の実施の形態で採用される表示部で表示される表示態様のさらに別の例を示した図であり、図１３（ｂ）は図１３（ａ）に示した状態から１００円硬貨の補充処理が行われた際に表示される画像の一例であり、図１３（ｃ）は図１３（ａ）に示した状態から１００円硬貨の補充処理が行われた際に表示される画像の別の例である。
【図１４】図１４は、本発明の実施の形態で採用される貨幣処理装置の別の例を示す斜視図である。
【発明を実施するための形態】
【００２３】
《構成》
以下、本発明に係る貨幣処理装置、貨幣処理システム及び処理方法の実施の形態について、図面を参照して説明する。ここで、図１乃至図１４は本発明の実施の形態を説明するための図である。なお、本願において「貨幣」とは「硬貨」、「紙幣」又は「硬貨」及び「紙幣」の両方のことを意味する。したがって、本願の「貨幣処理装置」は、「硬貨処理装置１００」、「紙幣処理装置２００」、又は、「硬貨処理装置１００」及び「紙幣処理装置２００」の両方のことを意味する。なお、以下では、貨幣処理装置１００，２００が硬貨処理装置１００及び紙幣処理装置２００の両方を含む態様を用いて説明する。ちなみに、貨幣処理装置１００，２００が紙幣処理装置２００のみを備えた態様では、当該紙幣処理装置２００に後述する操作表示部１５２と同様の表示部が設けられているものを採用することができる。
【００２４】
本願の貨幣処理システムは、棒金を収納するための棒金ドロア５０６を有する棒金管理装置５００を備えていてもよい（図１乃至図４参照）。また、本願の貨幣処理システムは、硬貨処理装置１００、紙幣処理装置２００及び棒金管理装置５００のいずれか１つ以上に接続されたＰＯＳレジスタ３００、パソコン、サーバ４００等を備えてもよい。なお、硬貨処理装置１００、紙幣処理装置２００及び棒金管理装置５００の各々が別体となっていてもよいが、これら硬貨処理装置１００、紙幣処理装置２００及び棒金管理装置５００のうちのいずれか２つ以上は一体となってもよい。このため、硬貨処理装置１００と紙幣処理装置２００とは、別体となっていてもよいし一体となっていてもよい。また、硬貨処理装置１００と棒金管理装置５００とは、別体となっていてもよいし一体となっていてもよい。なお、外部装置とは、対象となっている装置以外の装置のことを意味し、例えば硬貨処理装置１００から見た場合には硬貨処理装置１００以外のあらゆる装置が外部装置に該当し、上述した例で言うと、紙幣処理装置２００、棒金管理装置５００、ＰＯＳレジスタ３００、パソコン、サーバ４００等が外部装置に該当する。また、紙幣処理装置２００から見た場合には紙幣処理装置２００以外のあらゆる装置が外部装置に該当し、上述した例で言うと、硬貨処理装置１００、棒金管理装置５００、ＰＯＳレジスタ３００、パソコン、サーバ４００等が外部装置に該当する。また、例えば硬貨処理装置１００及び紙幣処理装置２００を含む貨幣処理装置１００，２００から見た場合には貨幣処理装置１００，２００以外のあらゆる装置が外部装置に該当し、上述した例で言うと、棒金管理装置５００、ＰＯＳレジスタ３００、パソコン、サーバ４００等が外部装置に該当する。
【００２５】
本実施の形態では、硬貨処理装置１００、紙幣処理装置２００、棒金管理装置５００、ＰＯＳレジスタ３００及びサーバ（例えば店舗サーバ）４００を備えた貨幣処理システムを用いて説明する。なお、図２乃至図４は、本実施の形態の貨幣処理システムの構成を示すための図面である。
【００２６】
図２乃至図４に示すように、本実施の形態のＰＯＳレジスタ３００はサーバ４００に通信接続されている。そして、ＰＯＳレジスタ３００からサーバ４００に売上金情報等の情報が送信されるようになっている。また、各種設定情報等の情報が、サーバ４００からＰＯＳレジスタ３００（複数台でも可）に送信されるようになっている。
【００２７】
図３及び図４に示すように、硬貨処理装置１００は、後述する操作表示部１５２を含む硬貨処理装置１００の一部や紙幣処理装置２００の一部等を制御する上位制御部１０１と、硬貨処理装置１００を制御する硬貨制御部１０２を有しており、これらの上位制御部１０１及び硬貨制御部１０２は通信接続されている。また、紙幣処理装置２００は、紙幣処理装置２００を制御する紙幣制御部２０２を有しており、この紙幣制御部２０２は硬貨処理装置１００の上位制御部１０１に通信接続されている。また、棒金管理機５００は、棒金管理機５００を制御する棒金制御部５０２を有しており、この棒金制御部５０２は硬貨処理装置１００の上位制御部１０１に通信接続されている。また、図４に示すように、ＰＯＳレジスタ３００は、ＰＯＳレジスタ３００を制御するＰＯＳ制御部３０２を有しており、このＰＯＳレジスタ３００のＰＯＳ制御部３０２は硬貨処理装置１００の上位制御部１０１に通信接続されている。
【００２８】
そして、硬貨処理装置１００において硬貨の入金処理、出金処理、精査処理、回収処理等の様々な処理を行うと、硬貨処理装置１００の硬貨識別部１５０（図２参照）で識別された結果は硬貨処理装置１００からＰＯＳレジスタ３００に出力されて、当該結果が後述するＰＯＳ表示部３５１で表示される。また、紙幣処理装置２００において紙幣の入金処理、出金処理、精査処理、回収処理等の様々な処理を行うと、紙幣処理装置２００の紙幣識別部２５０で識別された結果も紙幣処理装置２００から上位制御部１０１を介してＰＯＳレジスタ３００に出力されて、当該結果がＰＯＳ表示部３５１で表示される。また、棒金管理機５００から出力される棒金の有無に関する情報、棒金の金種に関する情報等も棒金管理機５００から上位制御部１０１を介してＰＯＳレジスタ３００に出力されて、当該情報がＰＯＳ表示部３５１で表示される。
【００２９】
以下、紙幣処理装置２００、硬貨処理装置１００、棒金管理機５００及びＰＯＳレジスタ３００の構成について、説明する。
【００３０】
《紙幣処理装置２００》
まず、本実施の形態の紙幣処理装置２００の構成について説明する。ちなみに、本実施の形態の紙幣処理装置２００は、スーパー、コンビニエンスストア、ショッピングモール、百貨店等の様々な場所で利用され、紙幣の入出金処理を行う紙幣釣銭機となっている。ところで、紙幣処理装置２００としてはこのような紙幣釣銭機には限られることはなく、例えば紙幣出金機、券売機、自動販売機等も含まれる。
【００３１】
図２に示すように、紙幣処理装置２００は、略直方体形状の紙幣筐体２０３と、紙幣を紙幣筐体２０３の外部から入金するための紙幣受入部２１０と、紙幣受入部２１０から入金された紙幣を搬送する紙幣搬送部２２０と、紙幣受入部２１０から入金された紙幣の金種等を識別して計数する紙幣識別部２５０と、紙幣搬送部２２０で搬送された紙幣を収納するとともに収納された紙幣を繰り出す紙幣収納部２６０と、リジェクト紙幣や紙幣収納部２６０に収納されていた紙幣を出金するための紙幣払出部２９０と、を備えている。なお、紙幣搬送部２２０は、図２に示すように、紙幣筐体２０３内の略中央部に設けられた環状の周回搬送部２２０ａと、紙幣受入部２１０、紙幣収納部２６０、紙幣払出部２９０等と、周回搬送部２２０ａとの間をそれぞれ接続する複数の接続搬送部２２０ｂとを有している。ちなみに、周回搬送部２２０ａに紙幣識別部２５０が設けられている。また、本実施の形態の紙幣収納部２６０は金種別に紙幣を収納する３つの金種別紙幣収納部２６１（２６１ａ，２６１ｂ，２６１ｃ）を有している。
【００３２】
紙幣受入部２１０は、紙幣が入金されると自動で又は後述する操作表示部１５２、ボタン式操作部１５３、ＰＯＳ操作部３５２等からの入力信号を受けて駆動されて当該紙幣を紙幣筐体２０３内に繰り出す入金紙幣操出部（図示せず）を有している。また、紙幣収納部２６０は、必要に応じて紙幣収納部２６０から紙幣を繰り出す出金紙幣繰出部（図示せず）を有している。
【００３３】
また、図２に示すように、紙幣搬送部２２０には、回収処理を行う際に紙幣収納部２６０から繰り出された紙幣を収納する回収カセット２３５が連結されている。なお、紙幣識別部２５０で識別された紙幣の金種を収納するための紙幣収納部２６０がフル（満杯）状態又はニアフル（ほぼ満杯）状態である場合には、この紙幣はオーバーフロー紙幣として、回収カセット２３５に収納される。
【００３４】
また、図２に示すように、紙幣搬送部２２０には、紙幣収納部２６０から繰り出された紙幣が紙幣識別部２５０によって識別できない場合に、当該紙幣（出金リジェクト紙幣）を収納する出金リジェクト部２３０が連結されている。
【００３５】
紙幣処理装置２００の各金種に関する在高は、対象となる金種別紙幣収納部２６１に収納された紙幣の枚数から当該金種別紙幣収納部２６１から繰り出された紙幣の枚数を差し引くことで算出可能となる。より具体的には、各金種別紙幣収納部２６１に対応して設けられた検知センサ２２５からの情報に基づいて対象となる金種別紙幣収納部２６１内に紙幣が収納されたことが検出され、他方、当該検知センサ２２５からの情報に基づいて対象となる金種別紙幣収納部２６１から紙幣が繰り出されたことが検出される。
【００３６】
なお、金種別紙幣収納部２６１の各々に、金種別紙幣収納部２６１内に収納されている紙幣の残量を検知する収容量検知センサ２６２（図４参照）が設けられてもよい。このような収容量検知センサ２６２が設けられている場合には、当該収容量検知センサ２６２からの情報を受けて金種別紙幣収納部２６１内において紙幣が、ニアフル状態なのか、フル状態なのか、ニアエンプティ（ほぼ空）状態なのか、エンプティ（空）状態なのかが紙幣制御部２０２で判断されるようにしてもよい。
【００３７】
各金種別紙幣収納部２６１内に収納されている紙幣の在高情報（紙幣の枚数）や紙幣の収納状態（ニアフル状態なのか、フル状態なのか、ニアエンプティ状態なのか、エンプティ状態なのか）は、硬貨処理装置１００の上位記憶部１５５（図４参照）に送られて当該上位記憶部１５５で記憶されることとなる。
【００３８】
各金種別紙幣収納部２６１は紙幣を例えば１００枚〜２００枚収納することができるようになっている。具体的な例を持ち出して説明すると、金種別紙幣収納部２６１は千円紙幣を２００枚収納することができ、金種別紙幣収納部２６１は五千円紙幣を１００枚収納することができ、金種別紙幣収納部２６１は一万円紙幣を２００枚収納することができるようになっている。ちなみに、オーバーフローした紙幣は、例えば２００枚までであれば回収カセット２３５に収納可能となる。
【００３９】
また、図２に示すように、検知センサ２２５は、出金リジェクト部２３０及び回収カセット２３５の各々に対応するようにも設けられており、当該検知センサ２２５からの情報に基づいて、出金リジェクト部２３０及び回収カセット２３５の各々に収納されている紙幣の枚数も検出できるようになっている。これら出金リジェクト部２３０及び回収カセット２３５の各々に収納されている紙幣の枚数に関する情報も、硬貨処理装置１００の上位記憶部１５５に送られて当該上位記憶部１５５で記憶されてもよい。ちなみに、本実施の形態では、紙幣受入部２１０及び紙幣払出部２９０にも対応して検知センサ２２５が設けられているが、この検知センサ２２５は紙幣受入部２１０で受け入れられた紙幣が当該検知センサ２２５を通過したか、また、紙幣払出部２９０から払い出されるべき紙幣が当該検知センサ２２５を通過したかを検知するために用いられる。
【００４０】
図４に示すように、紙幣処理装置２００の紙幣制御部２０２には、インターフェース２３２、紙幣受入部２１０、紙幣搬送部２２０、出金リジェクト部２３０、紙幣識別部２５０、紙幣収納部２６０、紙幣払出部２９０、収容量検知センサ２６２、検知センサ２２５等がそれぞれ接続されている。そして、紙幣制御部２０２は、紙幣受入部２１０、紙幣搬送部２２０、出金リジェクト部２３０、紙幣識別部２５０、紙幣収納部２６０、紙幣払出部２９０、収容量検知センサ２６２、検知センサ２２５等と信号の送受信を行い、これらを制御するように構成されている。なお、紙幣制御部２０２には、様々な情報を記憶する紙幣記憶部２０５と、カードに記録された情報を読み取るカードリーダ２７０と、紙幣収納部２６０、出金リジェクト部２３０、回収カセット２３５等の所定のユニットをロックしたり、紙幣収納部２６０、出金リジェクト部２３０、回収カセット２３５等の所定のユニットを解錠したりする電磁ロック部２７５も接続されており、これらと信号の送受信を行い、これらを制御するように構成されている。
【００４１】
一例としては、本実施の形態の紙幣処理装置２００における紙幣の入金速度は２．５枚／秒であり、他方、紙幣の出金速度は２．０枚／秒である。また、一例として、紙幣受入部２１０に一度に投入可能な紙幣の枚数は２０枚であり、紙幣払出部２９０で一度に出金可能な紙幣の枚数は１０枚である。
【００４２】
また、本実施の形態の紙幣処理装置２００は自動精査すなわち自動在高確認動作ができるようになっていてもよい。つまり、操作表示部１５２、ＰＯＳ操作部３５２等から実行指示の入力を受けたり所定の設定時刻になったりすることで、紙幣処理装置２００は各金種別紙幣収納部２６１内に収納されている紙幣の計数を開始し、実際の紙幣の在高が紙幣記憶部２０５等に記憶されている紙幣の在高と合致しているかを確認できるようなってもよい。
【００４３】
《硬貨処理装置１００》
次に、本実施の形態の硬貨処理装置１００の構成について説明する。ちなみに、本実施の形態の硬貨処理装置１００は、スーパー、コンビニエンスストア、ショッピングモール、百貨店等の様々な場所で利用され、硬貨の入出金処理を行う硬貨釣銭機となっている。ところで、硬貨処理装置１００としてはこのような硬貨釣銭機には限られることはなく、例えば硬貨出金機、券売機、自動販売機等も含まれる。
【００４４】
図４に示すように、本実施の形態の硬貨処理装置１００の上位制御部１０１には、インターフェース１３２と、操作表示部１５２と、物理的なボタン等からなるボタン式操作部１５３と、様々な情報を記憶する上位記憶部１５５が接続されており、これらと信号の送受信を行い、これらを制御するように構成されている。また、硬貨制御部１０２には、後述する、上位制御部１０１との間のインターフェース１３３、硬貨受入部１１０、入金硬貨搬送部１２０、硬貨識別部１５０、硬貨収納部１６０、振分部１２７，１２９、出金硬貨搬送部１８０、硬貨払出部１９０、硬貨が通過したことを検知する検知センサ１２４，１２５，１６５及び様々な情報を記憶する硬貨記憶部１０５等が接続されている。そして、上位制御部１０１は、操作表示部１５２、ボタン式操作部１５３及び上位記憶部１５５等と信号の送受信を行い、これらを制御するように構成されている。また、硬貨制御部１０２は、硬貨受入部１１０、入金硬貨搬送部１２０、硬貨識別部１５０、硬貨収納部１６０、振分部１２７，１２９、出金硬貨搬送部１８０、硬貨払出部１９０、検知センサ１２４，１２５，１６５及び硬貨記憶部１０５等と信号の送受信を行い、これらを制御するように構成されている。なお、硬貨制御部１０２には、カードに記録された情報を読み取るカードリーダ１７０と、硬貨収納部１６０等の所定のユニットをロックしたり、硬貨収納部１６０等の所定のユニットを解錠したりする電磁ロック部１７５も接続されており、これらと信号の送受信を行い、これらを制御するように構成されている。
【００４５】
本実施の形態の硬貨処理装置１００は、図２に示すように、硬貨筐体１０３と、硬貨を硬貨筐体１０３の外部から入金するための硬貨受入部１１０と、硬貨筐体１０３内に設けられ、硬貨を収納するとともに収納された硬貨を繰り出す硬貨収納部１６０と、硬貨筐体１０３内において、硬貨受入部１１０から投入された硬貨を１枚ずつ硬貨収納部１６０まで入金経路に沿って搬送する入金硬貨搬送部１２０と、入金経路に沿って設けられ、入金硬貨搬送部１２０で搬送される硬貨を識別して計数する硬貨識別部１５０と、を備えている。また、図１に示すように、硬貨筐体１０３の上面には、操作者が操作信号を入力したり操作者に所定の情報を表示したりするための操作表示部１５２が設けられている。本実施の形態の操作表示部１５２はタッチパネルとなっており、操作表示部１５２に直接触れることで、操作者が操作信号を入力することができる。また、図１に示すように、硬貨入金口１１１には開閉自在のシャッター１１５が設けられてもよい。なお、操作表示部１５２は液晶ディスプレイ（ＬＣＤ）等からなってもよい。
【００４６】
図２に示すように、入金経路には、後述する金種別硬貨収納部１６１（つまり金種別硬貨収納部１６１ａ〜１６１ｆ）の各々に対応した検知センサ１２５と、当該検知センサ１２５からの情報を受けて各金種別硬貨収納部１６１に対応する金種の硬貨を振り分ける複数（本実施の形態では６つ）の入金振分部１２７が設けられている。各検知センサ１２５は、対応する金種別硬貨収納部１６１の上流位置に対応して設けられている。
【００４７】
また、図２に示すように、硬貨識別部１５０の下流位置であって硬貨収納部１６０の上流位置には、硬貨識別部１５０で金種等を識別することができなかった硬貨をリジェクト硬貨として振り分けるためのリジェクト振分部１２９が設けられている。本実施の形態では、図２に示すように、リジェクト振分部１２９は、硬貨識別部１５０の下流側であって入金振分部１２７の上流側に位置している。
【００４８】
図２に示すように、リジェクト振分部１２９の直前の上流位置には検知センサ１２４が設けられている。そして、硬貨識別部１５０でリジェクト硬貨であると判断され、かつ、検知センサ１２４から硬貨が到達又は通過した旨の検知情報を受けた段階で、硬貨制御部１０２がリジェクト振分部１２９を開状態とし、リジェクト硬貨をリジェクト振分部１２９で取り込むようにしてもよい。なお、当然、硬貨識別部１５０でリジェクト硬貨であると判断された際にリジェクト振分部１２９を開状態のまま維持し、リジェクト硬貨をリジェクト振分部１２９で取り込む態様も採用することができる。なお、リジェクト振分部１２９が開状態となって当該リジェクト振分部１２９に取り込まれることで、硬貨は入金経路から外れ、リジェクト搬送経路（図示せず）を落下した後、後述する出金硬貨搬送部１８０によって硬貨払出部１９０まで送られることとなる。
【００４９】
図２に示すように、本実施の形態の硬貨処理装置１００は、硬貨収納部１６０から繰り出された硬貨を出金経路に沿って搬送する出金硬貨搬送部１８０と、出金経路に繰り出されて出金硬貨搬送部１８０で搬送された硬貨を出金する硬貨払出部１９０も備えている。
【００５０】
一例としては、本実施の形態の硬貨処理装置１００における硬貨の入金速度は約６枚／秒であり、他方、９９９円の硬貨（５００円１枚、１００円４枚、５０円１枚、１０円４枚、５円１枚及び１円４枚）を出金するのに約２．７秒かかる。また、一例として、硬貨受入部１１０に一度に投入可能な硬貨の枚数は５０枚であり、硬貨払出部１９０で一度に出金可能な硬貨の枚数は５０枚である。
【００５１】
本実施の形態の硬貨収納部１６０は、金種別に硬貨を収納する複数（本実施の形態では６つ）の金種別硬貨収納部１６１を有しており、各金種別硬貨収納部１６１が水平方向で並列に配置されている。金種別硬貨収納部１６１は、図２の下から順番に、５００円硬貨、１００円硬貨、５０円硬貨、１０円硬貨、５円硬貨及び１円硬貨を収納するようになっている。各金種別硬貨収納部１６１は、対応する硬貨を例えば１００枚〜２００枚程度収納することができる。より具体的な例を持ち出して説明すると、金種別硬貨収納部１６１ａは５００円硬貨を１０５枚収納することができ、金種別硬貨収納部１６１ｂは１００円硬貨を１６０枚収納することができ、金種別硬貨収納部１６１ｃは５０円硬貨を１２０枚収納することができ、金種別硬貨収納部１６１ｄは１０円硬貨を１６０枚収納することができ、金種別硬貨収納部１６１ｅは５円硬貨を１２０枚収納することができ、金種別硬貨収納部１６１ｆは１円硬貨を１６０枚収納することができるようになっている。
【００５２】
なお、金種別硬貨収納部１６１の各々は、硬貨を収納する金種別繰出収納庫と、金種別繰出収納庫内に収納された硬貨を出金経路に繰り出すための繰出部（図示せず）と、繰出部で繰り出される硬貨の枚数を検知する検知センサ１６５（図４参照）と、所定枚数の硬貨が繰り出された際にそれ以上の硬貨が繰り出されないように硬貨の繰り出しをストップさせるためのストッパ（図示せず）と、を有している。
【００５３】
本実施の形態では、硬貨処理装置１００の各金種に関する在高は、対象となる金種別硬貨収納部１６１に収納された硬貨の枚数から当該金種別硬貨収納部１６１から繰り出された硬貨の枚数を差し引くことで算出可能となる。金種別硬貨収納部１６１に収納された硬貨の枚数を算出する際には、具体的には、各金種別硬貨収納部１６１に対応して設けられた入金振分部１２７の上流位置の検知センサ１２５で硬貨の通過が確認されたが当該入金振分部１２７の下流位置の検知センサ１２５で硬貨の通過が確認されなかった場合に、当該入金振分部１２７で硬貨が取り込まれて、当該入金振分部１２７に対応する金種別硬貨収納部１６１に硬貨が収納されたと判断されて算出される。ただし、最も下流側に位置する金種別硬貨収納部１６１ｆに関しては、当該金種別硬貨収納部１６１ｆの直前に位置する検知センサ１２５を通過した硬貨の枚数が当該金種別硬貨収納部１６１ｆに収納された硬貨の枚数となる。他方、各金種別硬貨収納部１６１から繰り出された硬貨の枚数は検知センサ１６５からの情報に基づいて算出される。
【００５４】
なお、金種別硬貨収納部１６１の各々に、金種別硬貨収納部１６１内に収納されている硬貨の残量を検知する収容量検知センサ１６２が設けられてもよい（図４参照）。このような収容量検知センサ１６２が設けられている場合には、当該収容量検知センサ１６２からの情報を受けて金種別硬貨収納部１６１内において硬貨が、ニアフル状態なのか、フル状態なのか、ニアエンプティ状態なのか、エンプティ状態なのかが硬貨制御部１０２や上位制御部１０１で判断されるようにしてもよい。収容量検知センサ１６２は硬貨制御部１０２に接続されており、硬貨制御部１０２と信号の送受信を行い、硬貨制御部１０２によって制御される。
【００５５】
各金種別硬貨収納部１６１内に収納されている硬貨の在高情報（硬貨の枚数）や硬貨の収納状態（ニアフル状態なのか、フル状態なのか、ニアエンプティ状態なのか、エンプティ状態なのか）は、硬貨処理装置１００の上位記憶部１５５に送られて当該上位記憶部１５５で記憶されることとなる。
【００５６】
また、本実施の形態の硬貨処理装置１００は自動精査すなわち自動在高確認動作ができるようになっていてもよい。つまり、操作表示部１５２、ＰＯＳ操作部３５２等から実行指示の入力を受けたり所定の設定時刻になったりすることで、硬貨処理装置１００は各金種別硬貨収納部１６１内に収納されている硬貨の計数を開始し、実際の硬貨の在高が硬貨記憶部１０５等に記憶されている硬貨の在高と合致しているかを確認できるようなってもよい。精査処理を行う場合には、例えば、対象となっている金種別硬貨収納部１６１から硬貨が繰り出されて出金硬貨搬送部１８０によって硬貨払出部１９０まで送られ、このように硬貨払出部１９０に送られた硬貨を硬貨受入部１１０に投入して、硬貨識別部１５０で各硬貨を識別計数させればよい。
【００５７】
なお、図５に示すような補助収納部１９９を備えた硬貨処理装置１００を採用することもできる。このように補助収納部１９９を備えた硬貨処理装置１００であれば、操作表示部１５２、ＰＯＳ操作部３５２等からの入力を受けず、所定の時間になると自動で精査処理を開始することもできる。この補助収納部１９９は入金経路の下方に配置されており、補助収納部１９９から硬貨を硬貨受入部１１０に繰り出すことができるようになっている。
【００５８】
補助収納部１９９は、出金経路に繰り出された硬貨のうち硬貨出金部１９０で出金されない硬貨を収納するために用いられる。そして、自動精査が行われる際の一例を示すと、硬貨収納部１６０のある金種別硬貨収納部１６１から硬貨が繰り出され（図６の（１）参照）、出金硬貨搬送部１８０で搬送された硬貨が補助収納部１９９内に取り込まれる（図６の（２）参照）。このように補助収納部１９９内に取り込まれた硬貨は、補助収納部１９９から硬貨受入部１１０に送られ（図６の（３）参照）、この硬貨受入部１１０から入金経路に繰り出され（図６の（４）参照）、硬貨識別部１５０で識別された後（図６の（５）参照）、元々繰り出された金種別硬貨収納部１６１に戻される（図６の（６）参照）。
【００５９】
ちなみに、上述したような補助収納部１９９を採用した場合には、ある金種別硬貨収納部１６１がフル状態又はニアフル状態となっており当該ある金種別硬貨収納部１６１に収納することができない硬貨（オーバーフロー硬貨）を当該補助収納部１９９に収納することもでき、例えば７０枚のオーバーフロー硬貨を補助収納部１９９で収納することができる。オーバーフロー処理が行われる際の一例を示すと、まず、硬貨受入部１１０から入金経路に硬貨が繰り出され（図７（ａ）の（１）参照）、硬貨識別部１５０で識別されてフル状態又はニアフル状態の金種の硬貨であると判断されると（図７（ａ）の（２）参照）、図６及び図７に示す入金振分部１２６が開状態となり（図７（ａ）の（３）参照）、当該金種の硬貨は入金振分部１２６で補助収納部１９９内に取り込まれ（図７（ａ）の（４）参照）、補助収納部１９９内に収納される。そして、このようにして補助収納部１９９内に取り込まれたオーバーフロー硬貨を対象となる金種別硬貨収納部１６１に戻すときには、補助収納部１９９から硬貨入金部１１０に硬貨が送られ（図７（ｂ）の（１）参照）、当該硬貨は、この硬貨入金部１１０から入金経路に繰り出され（図７（ｂ）の（２）参照）、硬貨識別部１５０で識別された後（図７（ｂ）の（３）参照）、対応する金種別硬貨収納部１６１に振り分けられる（図７（ｂ）の（４）参照）。なお、このような入金振分部１２６が設けられている態様では、当該入金振分部１２６は硬貨制御部１０２に接続されており、硬貨制御部１０２と信号の送受信を行い、硬貨制御部１０２によって制御される。
【００６０】
《棒金管理機５００》
次に、本実施の形態の棒金管理機５００について説明する。
【００６１】
図２に示すように、本実施の形態の棒金管理機５００は、棒金筐体５０３と、棒金筐体５０３に対して引き出し自在に設けられ、棒金を１本ずつ収納する棒金収納部５２０を複数個有する棒金ドロア５０６と、を備えている。本実施の形態の棒金収納部５２０は、対応する金種の棒金が収納されるようになっていてもよい。また、使用される頻度が高く、出し入れされる頻度が高い金種（例えば１０円硬貨及び１００円硬貨）の棒金が、引出方向側（前方側）に配置されてもよい。図３で示す態様では、向かって右側の列には前方側から１００円硬貨棒金（８本）、５００円硬貨棒金（１本）及び５０円硬貨（１本）の順で棒金が収納されるようになっており、向かって左側の列には前方側から１０円硬貨棒金（６本）、１円硬貨棒金（４本）及び５円硬貨（１本）の順で棒金が収納されるようになっている。なお、棒金収納部５２０は、対応する金種の棒金が収納されるようになっている必要はなく、あらゆる金種の棒金を収納することができるようになっていてもよい。
【００６２】
また、棒金ドロア５０６と棒金筐体５０３との間には、棒金制御部５０２に接続されたロータリエンコーダ（変位検出手段）（図示せず）が設けられており、棒金ドロア５０６の棒金筐体５０３に対する位置を検知することができるようになっている。そして、センサとロータリエンコーダ（変位検出手段）によって、棒金の直径を検知することで、棒金の有無を検知するだけでなく、棒金の金種の判定することができるようになっており、これらセンサとロータリエンコーダ（変位検出手段）によって、棒金検知部５８０（図４参照）が構成されている。ちなみに、本実施の形態では、棒金ドロア５０６の底面に開口部５２５が形成されており（図２参照）、この開口部５２５をセンサからの光が透過することで、棒金の直径や棒金の有無を検知することができるようになっている。なお、棒金収納部５２０内の棒金の有無及び金種を検知する手段としては、この方式に限定されず、各棒金収納部５２０に有無や金種（材質）を検知するセンサを配置してもよい。また、棒金筐体５０３には、棒金ドロア５０６を棒金筐体５０３に対して閉鎖位置に固定するロック部５６０（図４参照）が設けられている。また、本実施の形態の棒金管理機５００は、棒金筐体５０３に対して棒金ドロア５０６が開状態になっているか閉状態になっているかを検知する開閉検知部５７０（図４参照）も備えている。
【００６３】
図４に示すように、棒金管理機５００の棒金制御部５０２には、インターフェース５３２、棒金検知部５８０、開閉検知部５７０、ロック部５６０等がそれぞれ接続されている。そして、棒金制御部５０２は、棒金検知部５８０、開閉検知部５７０、ロック部５６０等と信号の送受信を行い、これらを制御するように構成されている。なお、棒金制御部５０２には、様々な情報を記憶する棒金記憶部５０５も接続されている。ちなみに、棒金ドロア５０６の棒金収納部５２０に収納されている棒金の在高情報（棒金の本数）は、硬貨処理装置１００の上位記憶部１５５に送られて当該上位記憶部１５５で記憶されることとなる。
【００６４】
各棒金収納部５２０に対応したＬＥＤランプ等の報知部５９０（図４参照）が設けられていてもよい。そして、在高枚数が減ってきており補充が必要な金種、又は、金種及び本数に対応した位置のＬＥＤランプが点灯又は点滅することで、補充が必要な金種、又は、金種及び本数を報知できるようになっていてもよい。
【００６５】
《ＰＯＳレジスタ３００》
次に、本実施の形態のＰＯＳレジスタ３００の構成について説明する。ＰＯＳレジスタ３００は、商品の購入情報を登録するとともに、硬貨処理装置１００や紙幣処理装置２００に対して指令を入力して、硬貨や紙幣の入金処理、出金処理、精査処理、回収処理等を行わせるようになっている。
【００６６】
図４に示すように、ＰＯＳレジスタ３００のＰＯＳ制御部３０２は、硬貨処理装置１００の上位制御部１０１に通信接続されるとともに、サーバ４００にも通信接続されている。そして、このＰＯＳ制御部３０２は、硬貨処理装置１００の上位制御部１０１を介して硬貨制御部１０２、紙幣制御部２０２及び棒金制御部５０２に指令を送り、この結果、硬貨処理装置１００に対して硬貨の入金処理、出金処理、精査処理、回収処理等を行わせ、紙幣処理装置２００に対して紙幣の入金処理、出金処理、精査処理、回収処理等を行わせ、棒金管理機５００の棒金ドロア５０６のロックを解除させたりするようになっている。また、ＰＯＳ制御部３０２は、硬貨制御部１０２、紙幣制御部２０２及び棒金制御部５０２から、上位制御部１０１を介して、硬貨処理装置１００、紙幣処理装置２００及び棒金制御部５０２における硬貨、紙幣及び棒金の処理状況や在高に係る情報を受け取るようになっている。
【００６７】
図１に示すように、ＰＯＳレジスタ３００は、店員等の操作者が操作することのできるＰＯＳ操作部３５２と、商品の取引状況、硬貨処理装置１００における硬貨の処理状況、紙幣処理装置２００における紙幣の処理状況、硬貨処理装置１００の内部に収納された硬貨の在高、紙幣処理装置２００の内部に収納された紙幣の在高、棒金管理機５００の内部に収納された棒金の在高等を表示するＰＯＳ表示部３５１と、を備えている。そして、操作者は、ＰＯＳ操作部３５２を介してＰＯＳ制御部３０２（図参照）に対して様々な指令を与えることができるようになっている。なお、上述したＰＯＳ表示部３５１には、購入客に対して商品の購入代金を示したりするための購入客用表示部３５１ａ（図１参照）が含まれている。
【００６８】
図４に示すように、ＰＯＳレジスタ３００のＰＯＳ制御部３０２は、インターフェース３３２を介して、硬貨処理装置１００の上位制御部１０１やサーバ４００に対して信号の送受信を行うようになっている。また、ＰＯＳ記憶部３０５には、硬貨処理装置１００における硬貨の処理状況、硬貨処理装置１００の内部に収納された硬貨の在高、紙幣処理装置２００における紙幣の処理状況、紙幣処理装置２００の内部に収納された紙幣の在高、棒金管理機５００の内部に収納された棒金の在高等の様々な情報が記憶されるようになっている。
【００６９】
なお、ＰＯＳレジスタ３００は、クレジットカード等の各種カードを読み取るカードリーダ３６０と、プリンタ等からなる印刷部３７０も有している。なお、ＰＯＳ表示部３５１で表示されるあらゆる情報やＰＯＳ記憶部３０５で記憶されているあらゆる情報は、当該印刷部３７０で印字することができるようになっている。
【００７０】
図４に示すように、ＰＯＳレジスタ３００のＰＯＳ制御部３０２には、カードリーダ３６０、プリンタ等からなる印刷部３７０、ＰＯＳ表示部３５１、ＰＯＳ操作部３５２、ＰＯＳ記憶部３０５、インターフェース３３２等がそれぞれ接続されている。そして、ＰＯＳ制御部３０２は、カードリーダ３６０、印刷部３７０、ＰＯＳ表示部３５１、ＰＯＳ操作部３５２、ＰＯＳ記憶部３０５等と信号の送受信を行い、これらを制御するように構成されている。
【００７１】
≪表示態様≫
本実施の形態の装置制御部１１は、ある金種の金種別収納部１６１，２６１に収納された貨幣の枚数が、設定された閾値以上であるか否かについて判断する。なお、本実施の形態における「装置制御部１１」という文言は、上位制御部１０１、硬貨制御部１０２、紙幣制御部２０２及び棒金制御部５０２のうちのいずれか１つ以上を意味する。なお、装置制御部１１の典型的な例は上位制御部１０１である。
【００７２】
また、本実施の形態の操作表示部１５２は、装置制御部１１がある金種の金種別収納部１６１，２６１に収納された貨幣の枚数を閾値以上であると判断した場合と閾値未満であると判断した場合とで、当該ある金種の在高に関する情報を異なる態様で表示するようになっている。なお、金種別収納部１６１，２６１は、金種別硬貨収納部１６１及び金種別紙幣収納部２６１を含んでいる。ちなみに、一度、ある金種の貨幣の枚数が閾値（後述する第一閾値及び第二閾値を含む。）未満となっても、再度、当該ある金種の貨幣の枚数が閾値以上となった場合には、当該ある金種の在高に関する情報は、元の表示態様で表示されることになる。
【００７３】
後述する第一閾値及び第二閾値の値、金種別収納部１６１，２６１に収納された貨幣の枚数が第一閾値以上であると判断した場合、第一閾値未満であり第二閾値以上であると判断した場合、及び、第二閾値未満であると判断した場合の各々における各金種における表示態様等については、装置記憶部６０に記憶されている。この「装置記憶部」という文言は、上位記憶部１５５、硬貨記憶部１０５、紙幣記憶部２０５及び棒金記憶部５０５のうちのいずれか１つ以上を意味する。なお、装置制御部１１の典型的な例は上位記憶部１５５である。
【００７４】
本実施の形態の装置制御部１１は、特許請求の範囲に記載された「制御部」に含まれており、本実施の形態の操作表示部１５２は、特許請求の範囲に記載された「表示部」に含まれている。
【００７５】
第一の態様として、装置制御部１１が、ある金種の金種別収納部１６１，２６１に収納された貨幣の枚数が閾値以上であると判断した場合には、操作表示部１５２が当該ある金種の在高に関する文字情報を表示せず、他方、装置制御部１１が、ある金種の金種別収納部１６１，２６１に収納された貨幣の枚数が閾値未満であると判断した場合には、操作表示部１５２が当該ある金種の在高に関する文字情報を表示するようにしてもよい（図８乃至図１０等を参照）。なお、閾値が、第一閾値と、第一閾値よりも小さな第二閾値とを含む場合には、本態様における閾値は、第二閾値よりも大きな値の第一閾値であってもよい。
【００７６】
ちなみに、第一閾値の一例としては、５千円紙幣、５００円硬貨、５０円硬貨及び５円硬貨に関しては２０枚と設定し、千円紙幣、１００円硬貨、１０円硬貨及び１円硬貨に関しては３０枚とすることができる。また、第二閾値の一例としては、５千円紙幣及び千円紙幣に関しては１０枚であり、１００円硬貨、１０円硬貨及び１円硬貨に関しては３枚とし、５００円硬貨、５０円硬貨及び５円硬貨に関しては設定しないようにすることができる。なお、５千円紙幣の第二閾値に関しては、単に５千円紙幣が１０枚以下であるのみならず、５千円紙幣が１０枚以下であり、かつ、千円紙幣が１０枚以下である場合に、第二閾値未満の在高であると判断されるように設定してもよい。これらの設定は、５千円紙幣、５００円硬貨、５０円硬貨及び５円硬貨については、その金種の貨幣が足りない場合でも、それぞれ千円紙幣、１００円硬貨、１０円硬貨及び１円硬貨によって代替出金できることに起因するものである。また、これら第一閾値及び第二閾値の値は、操作表示部１５２や外部装置（例えば上位装置）の外部操作部等の操作部から金種毎に変更して設定することができてもよい。
【００７７】
ところで、一万円紙幣に関しては、釣り銭として払い出されることがないので、第一閾値及び第二閾値のいずれもが設定されないようにしてもよい。また、このように一万円紙幣は釣り銭として払い出されることがないので、一万円紙幣の在高は操作表示部１５２等の表示部で表示されなくてもよい。このように一万円紙幣の在高を表示しないことは、紙幣処理装置２００内に一万円紙幣が何枚も収納されていることを第三者に気付かせにくくできるため、セキュリティ面でも有益なものである。なお、図８乃至図１２に示す態様では、一万円紙幣の在高に関する情報を表示しないようにしている。但し、これに限られることはなく、一万円紙幣の在高に関する情報を表示してもよいし、このような態様では、一万円紙幣に対して第一閾値及び／又は第二閾値が設定されてもよい。
【００７８】
第二の態様として、装置制御部１１が、ある金種の金種別収納部１６１，２６１に収納された貨幣の枚数が閾値以上であると判断した場合には、操作表示部１５２が当該ある金種の在高に関するグラフを表示し、他方、装置制御部１１が、ある金種の金種別収納部１６１，２６１に収納された貨幣の枚数が閾値未満であると判断した場合には、操作表示部１５２が当該ある金種の在高に関するグラフを表示しないようにしてもよい（図８乃至図１０等を参照）。なお、閾値が、第一閾値と、第一閾値よりも小さな第二閾値とを含む場合には、本態様における閾値は、第二閾値よりも大きな値の第一閾値であってもよい。なお、図８乃至図１２ではグラフとしてインジケータを用いた態様を用いて説明しているが、これに限られることはなく、グラフには、棒グラフ、円グラフ等も含まれている。
【００７９】
第三の態様として、装置制御部１１がある金種の金種別収納部１６１，２６１に収納された貨幣の枚数が閾値以上であると判断した場合と閾値未満であると判断した場合とで、当該ある金種に関する情報又は当該ある金種に関する情報を表示する領域の背景を操作表示部１５２が異なる色で表示するようにしてもよい（図９及び図１０等を参照）。なお、閾値が、第一閾値と、第一閾値よりも小さな第二閾値とを含む場合には、本態様における閾値は、第一閾値よりも小さな値の第二閾値であってもよい。
【００８０】
また、第三の態様による閾値は、第一閾値及び第二閾値の両方であってもよい。この場合には、装置制御部１１が、ある金種の金種別収納部１６１，２６１に収納された貨幣の枚数が第一閾値以上であると判断した場合、第一閾値未満であり第二閾値以上であると判断した場合、及び、第二閾値未満であると判断した場合の各々で、当該ある金種に関する情報又は当該ある金種に関する情報を表示する領域の背景を操作表示部１５２が異なる色で表示するようにしてもよい。一例としては、装置制御部１１がある金種の金種別収納部１６１，２６１に収納された貨幣の枚数が第一閾値以上であると判断した場合には、当該ある金種に関する情報及び当該ある金種に関する情報を表示する領域の背景は通常の態様で表示される。しかしながら、装置制御部１１がある金種の金種別収納部１６１，２６１に収納された貨幣の枚数が第一閾値未満であり第二閾値以上であると判断した場合には、当該ある金種に関する情報は強調色（例えば赤色）で表示され、かつ、当該ある金種に関する情報を表示する領域の背景は準強調色（例えば黄色）で表示される。また、装置制御部１１がある金種の金種別収納部１６１，２６１に収納された貨幣の枚数が第二閾値未満であると判断した場合には、当該ある金種に関する情報を表示する領域の背景は強調色（例えば赤色）で表示され、当該ある金種に関する情報は背景に対して目立つ色（例えば白色）で表示される。
【００８１】
なお、このような第三の態様に限られることはなく、あらゆる態様において（例えば、第一の態様、第二の態様、後述する第四の態様及び第五の態様の各々、又は、第一の態様、第二の態様、第三の態様、第四の態様及び第五の態様の任意の２つ以上の組み合わせにおいて）、装置制御部１１が、ある金種の金種別収納部１６１，２６１に収納された貨幣の枚数が第一閾値以上であると判断した場合、第一閾値未満であり第二閾値以上であると判断した場合、及び、第二閾値未満であると判断した場合の各々で、操作表示部１５２における表示態様が異なるようにしてもよい。
【００８２】
第四の態様として、装置制御部１１が、ある金種の金種別収納部１６１，２６１に収納された貨幣の枚数が閾値以上であると判断した場合には、操作表示部１５２が当該ある金種の在高に関する情報を表示せず、他方、装置制御部１１が、ある金種の金種別収納部１６１，２６１に収納された貨幣の枚数が閾値未満であると判断した場合には、操作表示部１５２が当該ある金種の在高に関する情報を表示してもよい（図１３（ａ）を参照）。本態様の「在高に関する情報」は在高に関する文字情報を含んでもよい。なお、閾値が、第一閾値と、第一閾値よりも小さな第二閾値とを含む場合には、本態様における閾値は、第二閾値よりも大きな値の第一閾値であってもよい。図１３（ａ）は、典型的には補充処理が行われるときに表示される画像であるが、後述する通常処理を行う際にも同様の表示態様を採用することができる。
【００８３】
第五の態様として、装置制御部１１が、ある金種の金種別収納部１６１，２６１に収納された貨幣の枚数が閾値以上であると判断した場合には、操作表示部１５２が当該ある金種の補充処理に関する情報を表示せず、他方、装置制御部１１が、ある金種の金種別収納部１６１，２６１に収納された貨幣の枚数が閾値未満であると判断した場合には、操作表示部１５２が当該ある金種の補充処理に関する情報を表示してもよい（図８乃至図１０等を参照）。「補充処理に関する情報」には、補充を促すメッセージや補充可能な貨幣量等が含まれている。図９及び図１０に示した態様では「棒金→バラ１本」（棒金１本をばらして補充できることを意味する。）、「棒金→バラ２本」（棒金２本をばらして補充できることを意味する。）及び「補充１００枚」（紙幣１００枚を補充できることを意味する）が「補充処理に関する情報」に該当し、補充可能な貨幣量となっている。本態様における閾値は、上述した第一閾値及び第二閾値であってもよいが、硬貨であれば収容最大枚数から棒金に含まれる硬貨の枚数（例えば５０枚）だけ減った値とすることもでき、紙幣であれば収容最大枚数から紙幣束に含まれる紙幣の枚数（例えば１００枚）だけ減った値とすることもできる。
【００８４】
上述した第一の態様乃至第五の態様は、矛盾のない範囲で適宜組み合わせることができる。このため、例えば、第一の態様、第二の態様、第三の態様及び第五の態様の２つ以上を適宜組み合わせることができ、また、第三の態様と第四の態様を組み合わせることもできる。
【００８５】
また、本実施の形態では、上述した第一の態様乃至第五の態様が、通常処理モードにおいて採用されてもよい。つまり、通常処理モードにおいて、装置制御部１１が、ある金種の金種別収納部１６１，２６１に収納された貨幣の枚数が、設定された閾値以上であるか否かについて判断し、当該通常処理モードにおいて、装置制御部１１がある金種の金種別収納部１６１，２６１に収納された貨幣の枚数を閾値以上であると判断した場合と閾値未満であると判断した場合とで、当該ある金種の在高に関する情報を操作表示部１５２が異なる態様で表示するようにしてもよい（図８乃至図１０等を参照）。ちなみに、通常処理モードとは、例えば、貨幣を金種別収納部１６１，２６１に補充する補充モード及び貨幣を金種別収納部１６１，２６１が回収する回収モード以外のモードである。
【００８６】
このように第一の態様乃至第五の態様が、通常処理モードにおいて採用される場合には、一例として、次のような態様を採用することできる。
【００８７】
通常処理モードにおいて、装置制御部１１がある金種の金種別収納部１６１，２６１に収納された貨幣の枚数が閾値以上であると判断した場合に、操作表示部１５２が、当該ある金種の金種別収納部１６１，２６１に収納された貨幣の枚数に関する文字情報を表示しない、及び／又は、グラフを表示し、他方、当該通常処理モードにおいて、装置制御部１１がある金種の金種別収納部１６１，２６１に収納された貨幣の枚数が閾値未満であると判断した場合に、操作表示部１５２が、当該ある金種の金種別収納部１６１，２６１に収納された貨幣の枚数に関する文字情報を表示する、又は、グラフを表示しない態様を採用することができる（第一の態様及び第二の態様を参照）。
【００８８】
この態様において、閾値が、第一閾値と、第一閾値よりも小さな第二閾値とを含む場合には、以下のような態様を採用することもできる。つまり、装置制御部１１がある金種の金種別収納部１６１，２６１に収納された貨幣の枚数が第一閾値以上であると判断した場合に、操作表示部１５２が、当該ある金種の金種別収納部１６１，２６１に収納された貨幣の枚数に関する文字情報及び／もしくは補充処理に関する情報を表示しない、並びに／又は、グラフを表示し、他方、当該通常処理モードにおいて、装置制御部１１がある金種の金種別収納部１６１，２６１に収納された貨幣の枚数が第一閾値未満であると判断した場合に、操作表示部１５２が、当該ある金種の金種別収納部１６１，２６１に収納された貨幣の枚数に関する文字情報及び／もしくは補充処理に関する情報を表示する、並びに／又は、グラフを表示しない態様を採用することができる（第一の態様、第二の態様及び第五の態様を参照）。また、この態様において、装置制御部１１が、ある金種の金種別収納部１６１，２６１に収納された貨幣の枚数が第一閾値以上であると判断した場合、第一閾値未満であり第二閾値以上であると判断した場合、及び、第二閾値未満であると判断した場合の各々で、当該ある金種に関する情報及び／又は当該ある金種に関する情報を表示する領域の背景を操作表示部１５２が異なる色で表示するようにしてもよい（第三の態様を参照）。
【００８９】
また、本実施の形態では、上述した第一の態様乃至第五の態様が、補充処理モードにおいて採用されてもよい（図１３等を参照）。つまり、金種別収納部１６１，２６１に硬貨を補充する補充処理モードにおいて、装置制御部１１が、ある金種の金種別収納部１６１，２６１に収納された貨幣の枚数が、設定された閾値以上であるか否かについて判断し、当該補充処理モードにおいて、装置制御部１１がある金種の金種別収納部１６１，２６１に収納された貨幣の枚数を閾値以上であると判断した場合と閾値未満であると判断した場合とで、当該ある金種の在高に関する情報を操作表示部１５２が異なる態様で表示するようにしてもよい。
【００９０】
このように第一の態様乃至第五の態様が、補充処理モードにおいて採用される場合には、一例として、次のような態様を採用することできる。
【００９１】
補充処理モードにおいて、装置制御部１１がある金種の金種別収納部１６１，２６１に収納された貨幣の枚数が閾値以上であると判断した場合に、操作表示部１５２が、当該ある金種の金種別収納部１６１，２６１に収納された貨幣の枚数に関する在高情報を表示せず、他方、補充処理モードにおいて、装置制御部１１がある金種の金種別収納部１６１，２６１に収納された貨幣の枚数が閾値未満であると判断した場合に、操作表示部１５２が、当該ある金種の金種別収納部１６１，２６１に収納された貨幣の枚数に関する在高情報を表示するようにしてもよい（第四の態様を参照）。
【００９２】
この態様において、閾値が、第一閾値と、第一閾値よりも小さな第二閾値とを含む場合には、以下のような態様を採用することもできる。つまり、補充処理モードにおいて、装置制御部１１がある金種の金種別収納部１６１，２６１に収納された貨幣の枚数が第一閾値以上であると判断した場合に、操作表示部１５２が、当該ある金種の金種別収納部１６１，２６１に収納された貨幣の枚数に関する在高情報を表示せず、他方、補充処理モードにおいて、装置制御部１１がある金種の金種別収納部１６１，２６１に収納された貨幣の枚数が第一閾値未満であると判断した場合に、操作表示部１５２が、当該ある金種の金種別収納部１６１，２６１に収納された貨幣の枚数に関する在高情報を表示するようにしてもよい（第四の態様を参照）。また、この態様において、装置制御部１１がある金種の金種別収納部１６１，２６１に収納された貨幣の枚数が第二閾値以上であると判断した場合と第二閾値未満であると判断した場合とで、当該ある金種に関する情報又は当該ある金種に関する情報を表示する領域の背景を操作表示部１５２が異なる色で表示するようにしてもよい（第三の態様を参照）。
【００９３】
ここで図１３（ａ）−（ｃ）に示す態様について説明する。補充処理を行う旨の入力が操作表示部１５２やＰＯＳ操作部３５２等の操作部から入力されると、図１３（ａ）に示すように、第一閾値未満の在高しか収納されていない金種の貨幣が表示される。図１３（ａ）に示す態様では、１００円、１０円及び１円が当該金種に該当する。この際、第二閾値未満しか収納されていない金種の貨幣については、第一閾値未満であり第二閾値以上の在高の金種とは異なる態様で表示される。図１３（ａ）に示す態様では、１円が当該金種に該当する。不足している金種の貨幣が補充されると、当該金種の貨幣の補充枚数がリアルタイム（数秒遅れる場合も含む。）で操作表示部１５２に表示される。図１３（ｂ）に示す態様では、１００円硬貨が５０枚（１本の棒金分）補充された際の結果を示している。なお、計数動作中は、数値がカウントアップ表示される。計数終了後、所定時間（５秒程度）が経過すると、図１３（ｃ）に示す態様に切り替えられる。図１３（ｃ）に示す態様は、１００円硬貨が５０枚（１本の棒金分）補充された際の結果を示しており、第一閾値以上の枚数を収納することになった１００円の表示は消されている。ちなみに、補充された貨幣が計数されている間はデフォルトでは図１３（ｂ）に示された画像（補充された貨幣の計数内容を示す画像）が表示され、補充された貨幣の計数が終了したとき、つまり待機時にはデフォルトでは図１３（ｃ）に示された画像（在高に関する情報を示す画像）が表示されるようにしてもよい。このため、本態様によれば、どの金種の貨幣が不足しているのかを待機時に操作者が確認することができ、貨幣の補充処理を効率よく行うことができる。
【００９４】
また、図１３（ｂ）に示された画像（補充された貨幣の計数内容を示す画像）と図１３（ｃ）に示された画像（在高に関する情報を示す画像）とを、操作表示部１５２やボタン式操作部１５３等の操作部（図１３では操作表示部１５２に表示された「変更」ボタン）によって適宜切り替えることができるようになってもよい。このような態様によれば、操作者は、補充された貨幣の計数結果を含む計数内容と在高に関する情報とを適宜切り替えて確認することができる。なお、補充された貨幣の計数結果を表示する場合には、当該補充処理の間に補充された貨幣の金種別枚数の総合計が表示されてもよい。
【００９５】
図８乃至図１０等に示すように、本実施の形態の操作表示部１５２等の表示部では、棒金管理機５００に収納された棒金の本数も表示されるようになっていてもよい。この態様では、単に棒金管理機５００に収納されている棒金の本数が所定の本数以下（例えば「０本」）となった金種が強調表示されてもよいが、ある金種の棒金管理機５００に収納されている棒金の本数が所定の本数以下（例えば「０本」）となり、かつ、硬貨処理装置１００に収納されている当該金種の枚数が少なくなってきたときに（例えば第一閾値又は第二閾値未満となったときに）、当該金種の棒金の在高を示す情報が強調表示されるようにしてもよい。
【００９６】
なお、紙幣処理装置２００に収納されている紙幣の枚数が少なくなってきたとき（例えば第一閾値又は第二閾値未満となったとき）と、棒金管理機５００に収納されている棒金の本数が所定の本数以下となり、かつ、硬貨処理装置１００に収納されている当該金種の枚数が少なくなってきたとき（例えば第一閾値又は第二閾値未満となったとき）とでは、同じ態様で強調表示されてもよい（例えば同じ強調色又は準強調色の背景を用いて表示されてもよい）。これらの場合には、一般に、結束された紙幣束又は棒金を出納室や会計室から持ってくる必要があり、同じ作業を行う必要がある。したがって、このような態様を用いた場合には、操作者に出納室や会計室に行く必要があることを認識させることができる。ちなみに、紙幣処理装置２００に収納されている紙幣の枚数が少なくなってきたときと、棒金管理機５００に収納されている棒金の本数が所定の本数以下となり、かつ、硬貨処理装置１００に収納されている当該金種の枚数が少なくなってきたときとで採用される強調表示は、他の条件においては用いられないようにしてもよい。この場合には、より明確に、操作者に対して出納室や会計室に行く必要があることを認識させることができる。
【００９７】
また、本実施の形態の操作表示部１５２等の表示部では、オーバーフローした貨幣に関する情報が表示されるようになってもよい（図１０乃至図１２等を参照）。オーバーフローした貨幣が第三閾値以上となったときに「ニアフル」（ほぼ満杯）としての情報が表示され（図１１（ａ）及び図１２（ａ）を参照）、オーバーフローした貨幣が第三閾値よりも大きな値である第四閾値以上となったときに「フル」（満杯）としての情報が表示されてもよい（図１１（ｂ）及び図１２（ｂ）を参照）。図１１（ａ）（ｂ）に示した態様では、オーバーフローした硬貨に関する情報は、画面下方の通常は棒金の在高を示す情報が表示される領域で表示されるようになっており、オーバーフローした硬貨の枚数が第三閾値以上であり第四閾値未満である場合には、準強調色（例えば黄色）の背景で「ニアフル」であることが操作表示部１５２等の表示部で表示され、オーバーフローした硬貨の枚数が第四閾値以上である場合には、強調色（例えば赤色）の背景で「フル」であることが操作表示部１５２等の表示部で表示される態様となっている。図１２（ａ）（ｂ）に示した態様では、オーバーフローした紙幣に関する情報は、左上の空き領域で表示されるようになっており、オーバーフローした紙幣の枚数が第三閾値以上であり第四閾値未満である場合には、準強調色の背景で「ニアフル」であることが操作表示部１５２等の表示部で表示され、オーバーフローした硬貨の枚数が第四閾値以上である場合には、強調色の背景で「フル」であることが操作表示部１５２等の表示部で表示される態様となっている。
【００９８】
また、オーバーフローした硬貨及び／又は紙幣があるが、その枚数が第三閾値未満である場合であっても、オーバーフローした貨幣がある旨が操作表示部１５２等の表示部で表示されてもよい。このような表示を行うことで、オーバーフローした貨幣が存在することを操作者は認識することができ、何かのタイミングでオーバーフローした貨幣を回収することができる。なお、図１０に示した態様では、オーバーフローした貨幣が存在する旨の情報（図１０では「あふれ金  あり」で示されている。）は、左上の空き領域で表示されるようになっている。図１０に示す態様でも、オーバーフローした硬貨が存在する場合にのみその旨の情報が表示されてもよいし、オーバーフローした紙幣が存在する場合にのみその旨の情報が表示されてもよいし、オーバーフローした硬貨又は紙幣が存在する場合にその旨の情報が表示されてもよい。
【００９９】
また、出金リジェクトした硬貨及び／又は紙幣がある場合にも、硬貨及び／又は紙幣がある旨が操作表示部１５２等の表示部で表示されてもよい（図９及び図１０を参照）。このような表示を行うことで、出金リジェクトした硬貨及び／又は紙幣が存在することを操作者は認識することができ、何かのタイミングで出金リジェクトした硬貨及び／又は紙幣を回収することができる。なお、図９及び図１０に示した態様では、出金リジェクトした紙幣が存在する旨の情報（図９及び図１０では「リジェクト紙幣あり」で示されている。）が、左上の空き領域で表示されるようになっている。但し、これに限られることはなく、出金リジェクトした硬貨が存在する場合にも、その旨の情報が操作表示部１５２等の表示部で表示されてもよい。
【０１００】
ところで、ＰＯＳレジスタ３００のＰＯＳ表示部３５１や図示していない外付けの表示部や、その他の外部装置の外部表示部は、特許請求の範囲に記載された「表示部」に含まれる。
【０１０１】
また、操作表示部１５２における表示態様を中心に説明してきたが、これらＰＯＳレジスタ３００のＰＯＳ表示部３５１や外付けの表示部、その他の外部装置の外部表示部についても、操作表示部１５２について説明してきた内容と同様の表示態様を採用することができる。
【０１０２】
ちなみにＰＯＳ表示部３５１で、上述した表示態様（図８乃至図１２を参照）を表示する際には、一つ以上の金種の在高に関する情報は警告的に出されてもよい。ＰＯＳ表示部３５１は、商品を登録する等の通常のレジ操作で用いられることから、金種の在高に関する情報が表示され続けると通常のレジ操作を行う際に邪魔になることがある。このため、例えば第一閾値未満及び／又は第二閾値未満の在高になった金種が発生した場合に、上述した表示態様で一つ以上の金種の在高に関する情報が表示され、操作者がＰＯＳ操作部３５２等の操作部から所定の入力を行うことで、ＰＯＳ表示部３５１における一つ以上の金種の在高に関する情報が消えるようにしてもよい。また、第一閾値未満及び／又は第二閾値未満の在高になった金種が存在している間は、例えば各取引が終了した後又は各取引が開始される前の待機時に、上述した表示態様で当該金種の在高に関する情報が表示されるようにしてもよい。また、一例としては、第一閾値未満であって第二閾値以上の在高になった金種が存在している間は、各取引が終了した後に上述した表示態様で当該金種の在高に関する情報が表示され、第二閾値未満の在高になった金種が存在している間は、各取引が開始される前の待機時に上述した表示態様で当該金種の在高に関する情報が表示されるようにしてもよい。このような態様を採用するのは、第二閾値未満の在高になった金種が存在する場合には、今から開始される取引において支障が発生する可能性があるためである。
【０１０３】
また、操作表示部１５２、ＰＯＳ表示部３５１等の表示部における表示態様としては、第一閾値未満及び／又は第二閾値未満の在高になった金種の在高のみを拡大して表示するようにしてもよい。
【０１０４】
また、上記では、装置制御部１１における制御態様を中心に説明してきたが、装置制御部１１が行っていた制御を、ＰＯＳ制御部３０２等の外部装置の外部制御部が行ってもよい。
【０１０５】
なお、以下では、操作表示部１５２、並びに、ＰＯＳ表示部３５１及び外付けの表示部（図示せず）を含む外部表示部のいずれかを示す用語として「表示部４０」を用いて説明する。また、装置制御部１１と、ＰＯＳ制御部３０２とを含む外部制御部のいずれかを示す用語として「制御部１０」を用いて説明する。
【０１０６】
《方法》
本実施の形態による処理方法は、以下のような工程を含む。
【０１０７】
制御部１０によって、ある金種の金種別収納部１６１，２６１に収納された貨幣の枚数が、設定された閾値以上であるか否かについて判断する（判断工程）。
【０１０８】
表示部４０によって、ある金種の在高に関する情報を表示する（表示工程）。この表示工程において、表示部４０は、制御部１０がある金種の金種別収納部１６１，２６１に収納された貨幣の枚数を閾値以上であると判断した場合と閾値未満であると判断した場合とで、当該ある金種の在高に関する情報を異なる態様で表示するようになっている。「方法」における、表示部４０における表示態様としては、「構成」で述べた事項の全てを採用することができる。しかしながら、重複する記載となることから、以下では、採用しうる主要な態様について列記するに留める。
【０１０９】
判断工程において、制御部１０が、ある金種の金種別収納部１６１，２６１に収納された貨幣の枚数が閾値以上であると判断した場合には、表示工程において、表示部４０が当該ある金種の在高に関する文字情報を表示しなくてもよい。他方、判断工程において、制御部１０が、ある金種の金種別収納部１６１，２６１に収納された貨幣の枚数が閾値未満であると判断した場合には、表示部４０が当該ある金種の在高に関する文字情報を表示してもよい（第一の態様を参照）（図８乃至図１０等を参照）。
【０１１０】
判断工程において、制御部１０が、ある金種の金種別収納部１６１，２６１に収納された貨幣の枚数が閾値以上であると判断した場合には、表示工程において、表示部４０が当該ある金種の在高に関するグラフを表示してもよい。他方、判断工程において、制御部１０が、ある金種の金種別収納部１６１，２６１に収納された貨幣の枚数が閾値未満であると判断した場合には、表示工程において、表示部４０が当該ある金種の在高に関するグラフを表示しなくてもよい（第二の態様を参照）（図８乃至図１０等を参照）。
【０１１１】
判断工程において、制御部１０がある金種の金種別収納部１６１，２６１に収納された貨幣の枚数が閾値以上であると判断した場合と閾値未満であると判断した場合とで、表示工程において、表示部４０が、当該ある金種に関する情報又は当該ある金種に関する情報を表示する領域の背景を異なる色で表示してもよい（第三の態様を参照）（図９及び図１０等を参照）。
【０１１２】
判断工程において、制御部１０が、ある金種の金種別収納部１６１，２６１に収納された貨幣の枚数が閾値以上であると判断した場合には、表示工程において、表示部４０が当該ある金種の在高に関する情報を表示せず、他方、判断工程において、制御部１０が、ある金種の金種別収納部１６１，２６１に収納された貨幣の枚数が閾値未満であると判断した場合には、表示工程において、表示部４０が当該ある金種の在高に関する情報を表示するようにしてもよい。この際、在高に関する情報は、在高に関する文字情報を含んでもよい（第四の態様を参照）（図１３（ａ）を参照）。
【０１１３】
判断工程において、制御部１０が、ある金種の金種別収納部１６１，２６１に収納された貨幣の枚数が閾値以上であると判断した場合には、表示工程において、表示部４０が当該ある金種の補充処理に関する情報を表示せず、他方、制御部１０が、ある金種の金種別収納部１６１，２６１に収納された貨幣の枚数が閾値未満であると判断した場合には、表示工程において、表示部４０が当該ある金種の補充処理に関する情報を表示してもよい（第五の態様を参照）（図８乃至図１０等を参照）。
【０１１４】
閾値は、第一閾値と、第一閾値よりも小さな第二閾値とを含んでもよい。この態様では、判断工程において、制御部１０が、ある金種の金種別収納部１６１，２６１に収納された貨幣の枚数を、第一閾値以上であると判断した場合、第一閾値未満であって第二閾値以上であると判断した場合、及び、第二閾値未満であると判断した場合の各々で、表示工程における表示部４０の表示態様が異なるようにしてもよい。
【０１１５】
なお、閾値が、第一閾値と、第一閾値よりも小さな第二閾値とを含んでいる場合には、例えば、第一の態様、第二の態様、第四の態様及び第五の態様における閾値が第一閾値であり、第三の態様における閾値が第一閾値及び第二閾値を含んでもよい。
【０１１６】
また、通常処理モードのときに、判断工程において、制御部１０が、ある金種の金種別収納部１６１，２６１に収納された貨幣の枚数が、設定された閾値以上であるか否かについて判断し、制御部１０がある金種の金種別収納部１６１，２６１に収納された貨幣の枚数を閾値以上であると判断した場合と閾値未満であると判断した場合とで、表示工程において、表示部４０が、当該ある金種の在高に関する情報を異なる態様で表示してもよい。この態様では、通常処理モードにおいて、判断工程で、制御部１０がある金種の金種別収納部１６１，２６１に収納された貨幣の枚数が閾値以上であると判断した場合に、表示工程で、表示部４０が、当該ある金種の金種別収納部１６１，２６１に収納された貨幣の枚数に関する文字情報を表示しない、及び／又は、グラフを表示するようにしてもよい。他方、判断工程で、制御部１０がある金種の金種別収納部１６１，２６１に収納された貨幣の枚数が閾値未満であると判断した場合に、表示工程で、表示部４０が、当該ある金種の金種別収納部１６１，２６１に収納された貨幣の枚数に関する文字情報を表示する、及び／又は、グラフを表示しないようにしてもよい。
【０１１７】
また、補充処理モードにおいて、判断工程で、制御部１０は、ある金種の金種別収納部１６１，２６１に収納された貨幣の枚数が、設定された閾値以上であるか否かについて判断し、制御部１０がある金種の金種別収納部１６１，２６１に収納された貨幣の枚数を閾値以上であると判断した場合と閾値未満であると判断した場合とで、表示工程で、表示部４０が、当該ある金種の在高に関する情報を異なる態様で表示するよういしてもよい。この態様では、判断工程において、制御部１０がある金種の金種別収納部１６１，２６１に収納された貨幣の枚数が閾値以上であると判断した場合に、表示工程において、表示部４０が、当該ある金種の金種別収納部１６１，２６１に収納された貨幣の枚数に関する在高情報を表示せず、他方、判断工程において、制御部１０がある金種の金種別収納部１６１，２６１に収納された貨幣の枚数が閾値未満であると判断した場合に、表示工程において、表示部４０が、当該ある金種の金種別収納部１６１，２６１に収納された貨幣の枚数に関する在高情報を表示するようにしてもよい。
【０１１８】
《効果》
次に、上述した構成からなる本実施の形態によって達成される効果であって、まだ述べていない効果又はとりわけ重要な効果について説明する。
【０１１９】
本実施の形態によれば、ある金種の金種別収納部１６１，２６１に収納された貨幣の枚数が、設定された閾値以上であるか否かが判断され、ある金種の金種別収納部１６１，２６１に収納された貨幣の枚数を閾値以上であると判断した場合と閾値未満であると判断した場合とで、当該ある金種の在高に関する情報を異なる態様で表示する。このため、貨幣処理装置１００，２００内の貨幣の枚数が少なくなったことを目立たせることができる。
【０１２０】
より具体的には、上述した第一の態様のように、制御部１０が、ある金種の金種別収納部１６１，２６１に収納された貨幣の枚数が閾値以上であると判断したとき、表示部４０が当該ある金種の在高に関する文字情報を表示せず、他方、制御部１０が、ある金種の金種別収納部１６１，２６１に収納された貨幣の枚数が閾値未満であると判断したとき、表示部４０が当該ある金種の在高に関する文字情報を表示する態様を採用した場合には、閾値未満の枚数しか金種別収納部１６１，２６１に収納されていない金種の貨幣についてのみ、当該金種の在高に関する文字情報を表示することになる（図８乃至図１０等を参照）。このため、貨幣処理装置１００，２００内の貨幣の枚数が少なくなったことを、当該金種の文字情報の表示を開始することで目立たせることができる。ちなみに、金種別収納部１６１，２６１に十分な枚数の貨幣が収納されている場合には、いくらの貨幣が収納されているかは必要とされない傾向があり、むしろ目障りになることもある。他方、金種別収納部１６１，２６１に収納されている貨幣の枚数が減ると、何枚の貨幣が収納されているのかを知りたいというニーズがある。この点、本態様を採用した場合には、これらの点に対応した貨幣処理装置１００，２００を提供できる点でも優れている。
【０１２１】
また、上述した第二の態様のように、制御部１０が、ある金種の金種別収納部１６１，２６１に収納された貨幣の枚数が閾値以上であると判断したときには、表示部４０が当該ある金種の在高に関するグラフを表示し、他方、制御部１０が、ある金種の金種別収納部１６１，２６１に収納された貨幣の枚数が閾値未満であると判断したときには、表示部４０が当該ある金種の在高に関するグラフを表示しない態様を採用した場合には、閾値未満の枚数しか金種別収納部１６１，２６１に収納されていない金種の貨幣については、当該金種の在高に関するグラフが表示されなくなる（図８乃至図１０等を参照）。このため、貨幣処理装置１００，２００内の貨幣の枚数が少なくなったことを、当該金種のグラフの表示を消すことで目立たせることができる。
【０１２２】
なお、第一の態様と第二の態様における閾値が同じものであり第一の態様と第二の態様とを組み合わせた場合には、閾値以上の枚数が金種別収納部１６１，２６１に収納されている場合には、当該金種の在高に関するグラフが表示部４０に表示され、他方、閾値未満の枚数が金種別収納部１６１，２６１に収納されるようになった場合には、当該金種の在高に関するグラフが消えて、当該金種の在高に関する文字情報が表示されることになる。このため、表示部４０にグラフが表示されているのか又は文字情報が表示されているのかで、貨幣処理装置１００，２００内の貨幣の枚数が閾値以上であるのか又は閾値未満であるのかを操作者が一目で判断することができる。
【０１２３】
また、上述した第三の態様のように、制御部１０がある金種の金種別収納部１６１，２６１に収納された貨幣の枚数が閾値以上であると判断したときと閾値未満であると判断したときとで、当該ある金種に関する情報又は当該ある金種に関する情報を表示する領域の背景を表示部４０が異なる色で表示する態様を採用した場合には、閾値以上の枚数が金種別収納部１６１，２６１に収納されているときと閾値未満の枚数しか金種別収納部１６１，２６１に収納されていないときとで、当該金種に関する情報が異なる色で表示部４０において表示される、又は、当該金種に関する情報を表示する領域の背景が異なる色で表示部４０において表示される（図９及び図１０等を参照）。このため、貨幣処理装置１００，２００内の貨幣の枚数が閾値以上であるのか又は閾値未満であるのかを目立たせることができ、このことを操作者が一目で判断することができる。
【０１２４】
なお、この第三の態様を第一の態様と組み合わせるとともに、第一の態様における閾値が第一閾値であり、第三の態様における閾値が第一閾値よりも小さな値の第二閾値である態様を採用した場合には、貨幣処理装置１００，２００内のある金種の貨幣の枚数が減ってきて、貨幣処理装置１００，２００内の当該金種の貨幣の枚数が第一閾値未満となったときには、表示部４０に当該金種の文字情報が表示されることになる。さらに貨幣処理装置１００，２００内の貨幣の枚数が減ってきて、貨幣処理装置１００，２００内の貨幣の枚数が第二閾値未満となったときには、当該金種の在高に関する情報及び／又は当該金種の在高に関する情報を表示する領域の背景が、異なる色（好ましくは強調色）で表示されてもよい。この場合には、操作者は、表示部４０における表示態様を見るだけで、各金種の在高の状況（通常の状態なのか、ニアエンプティの状態なのか、又は、エンプティの状態なのか）を一目で把握することができる。
【０１２５】
ちなみに、第三の態様を第一の態様及び第二の態様に組み合わせるとともに、第一の態様及び第二の態様における閾値が第一閾値であり、第三の態様における閾値が第一閾値よりも小さな値の第二閾値である態様を採用した場合には、貨幣処理装置１００，２００内のある金種の貨幣の枚数が減ってきて、貨幣処理装置１００，２００内の当該金種の貨幣の枚数が第一閾値未満となったときには、表示部４０に当該金種の文字情報が表示されるとともに当該金種の在高に関するグラフが消えることになる。それ以降は、上述した態様と同じであり、さらに貨幣処理装置１００，２００内の貨幣の枚数が減ってきて、貨幣処理装置１００，２００内の貨幣の枚数が第二閾値未満となったときには、当該金種の在高に関する情報及び／又は当該金種の在高に関する情報を表示する領域の背景が、異なる色（好ましくは強調色）で表示されてもよい。この場合には、操作者は、より容易に、各金種の在高の状況を把握することができる。
【０１２６】
また、上述した第四の態様のように、制御部１０が、ある金種の金種別収納部１６１，２６１に収納された貨幣の枚数が閾値以上であると判断したときには、表示部４０が当該ある金種の在高に関する情報を表示せず、他方、制御部１０が、ある金種の金種別収納部１６１，２６１に収納された貨幣の枚数が閾値未満であると判断したときには、表示部４０が当該ある金種の在高に関する情報を表示する場合には、閾値未満の枚数しか金種別収納部１６１，２６１に収納されていない金種の貨幣についてのみ、当該金種の在高に関する情報が表示されることになる（図１３（ａ）を参照）。このため、貨幣処理装置１００，２００内の貨幣の枚数が少なくなったことを、当該金種の情報の表示を開始することで目立たせることができる。なお、本態様の「在高に関する情報」が在高に関する文字情報である場合には、表示部４０で表示された文字情報に基づいて、当該金種の在高がどの程度であるのかを操作者が容易に把握することができる。ちなみに、「在高に関する情報」が文字情報ではなくグラフ等であっても、当該金種の在高がどの程度であるのかについて、操作者がある程度把握することできる。
【０１２７】
「在高に関する情報」が在高に関する文字情報を含むときの第四の態様を第三の態様に組み合わせるとともに、第四の態様における閾値が第一閾値であり、第三の態様における閾値が第一閾値よりも小さな値の第二閾値である態様を採用した場合には、貨幣処理装置１００，２００内のある金種の貨幣の枚数が減ってきて、貨幣処理装置１００，２００内の当該金種の貨幣の枚数が第一閾値未満となったときには、当該金種について何も表示されていなかった状態から表示部４０に当該金種の文字情報が表示されることになる。さらに貨幣処理装置１００，２００内の貨幣の枚数が減ってきて、貨幣処理装置１００，２００内の貨幣の枚数が第二閾値未満となったときには、当該金種の在高に関する情報及び／又は当該金種の在高に関する情報を表示する領域の背景が、異なる色（好ましくは強調色）で表示されてもよい。この場合には、操作者は、より容易に、各金種の在高の状況を把握することができる。
【０１２８】
また、上述した第五の態様のように、制御部１０が、ある金種の金種別収納部１６１，２６１に収納された貨幣の枚数が閾値以上であると判断したときには、表示部４０が当該ある金種の補充処理に関する情報を表示せず、他方、制御部１０が、ある金種の金種別収納部１６１，２６１に収納された貨幣の枚数が閾値未満であると判断したときには、表示部４０が当該ある金種の補充処理に関する情報を表示する態様を採用した場合には、閾値未満の枚数しか金種別収納部１６１，２６１に収納されていない金種の貨幣についてのみ、当該金種の補充処理に関する情報が表示されることになる（図８乃至図１０等を参照）。このため、貨幣処理装置１００，２００内の貨幣の枚数が少なくなったことを、当該金種の補充処理に関する情報の表示を開始することで目立たせることができる。
【０１２９】
なお、「補充処理に関する情報」が補充を促すメッセージや補充可能な貨幣量等を含んでいる場合には、操作者にどのような補充処理を行えばよいのかを把握させることができる点で有益である。この補充可能な貨幣量は、硬貨においては棒金の本数を用いて示されてもよいし、紙幣においては結束された紙幣束の束数を用いて示されてもよい。なお、棒金は５０枚の硬貨からなるものとして計算され（５００円硬貨に関しては２０枚の硬貨からなるものとして計算されてもよい。）、紙幣束の束数は１００枚の紙幣からなるものとして計算されてもよい。
【０１３０】
第五の態様を第三の態様に組み合わせるとともに、第五の態様における閾値が第一閾値であり、第三の態様における閾値が第一閾値よりも小さな値の第二閾値である態様を採用した場合には、貨幣処理装置１００，２００内のある金種の貨幣の枚数が減ってきて、貨幣処理装置１００，２００内の当該金種の貨幣の枚数が第一閾値未満となったときには、当該金種の補充処理に関する情報が表示されることになる。さらに貨幣処理装置１００，２００内の貨幣の枚数が減ってきて、貨幣処理装置１００，２００内の貨幣の枚数が第二閾値未満となったときには、当該金種の補充処理に関する情報及び／又は当該補充処理に関する情報を表示する領域の背景が、異なる色（好ましくは強調色）で表示されることになる。このため、操作者は、より容易に、各金種の在高の状況を把握することができる。
【０１３１】
なお、閾値が、第一閾値と、第一閾値よりも小さな第二閾値とを含む場合であって、制御部が、ある金種の金種別収納部１６１，２６１に収納された貨幣の枚数を、第一閾値以上であると判断したとき、第一閾値未満であって第二閾値以上であると判断したとき、及び、第二閾値未満であると判断したときの各々で、表示部４０における表示態様が異なる態様を採用した場合には、ある金種の金種別収納部１６１，２６１に収納された貨幣の枚数の３つの状況において表示部４０における表示態様を変えることができる。このため、操作者は、貨幣の在高の状況を表示部４０の表示態様だけで把握することができる。
【０１３２】
また、上述した第一の態様乃至第五の態様のいずれか又は２つ以上の任意の組み合わせが、通常処理モードにおいて採用された場合には、通常処理モードにおいて、各金種に関して、貨幣処理装置１００，２００内の貨幣の枚数が少なくなったことを目立たせることができる。このため、操作者は、通常の処理を行っている間に、補充が必要な貨幣を容易に把握することできる。この結果、操作者は適度なタイミングで補充処理を行うことができ、貨幣処理装置１００，２００内の貨幣が不足する状況が発生することを未然に防止することができる。
【０１３３】
ちなみに、通常処理モードにおいて、制御部１０がある金種の金種別収納部１６１，２６１に収納された貨幣の枚数が第一閾値以上であると判断したときに、表示部４０が、当該ある金種の金種別収納部１６１，２６１に収納された貨幣の枚数に関する文字情報及び／もしくは補充処理に関する情報を表示しない、並びに／又は、グラフを表示し、他方、当該通常処理モードにおいて、制御部１０がある金種の金種別収納部１６１，２６１に収納された貨幣の枚数が第一閾値未満であると判断したときに、表示部４０が、当該ある金種の金種別収納部１６１，２６１に収納された貨幣の枚数に関する文字情報及び／もしくは補充処理に関する情報を表示する、並びに／又は、グラフを表示しない態様を採用した場合（第一の態様、第二の態様及び第五の態様を参照）であって、制御部１０がある金種の金種別収納部１６１，２６１に収納された貨幣の枚数が第二閾値以上であると判断したときと第二閾値未満であると判断したときとで、当該ある金種に関する情報又は当該ある金種に関する情報を表示する領域の背景を表示部４０が異なる色で表示するようにした場合（第三の態様を参照）には、第一閾値と第二閾値の二段階で操作者に在高に関する情報を提供することができる。このため、貨幣処理装置１００，２００内の貨幣が不足する状況が発生することをより確実に未然に防止することができる。
【０１３４】
また、上述した第一の態様乃至第五の態様のいずれか又は２つ以上の任意の組み合わせが、補充処理モードにおいて採用された場合には、補充処理モードにおいて、どの金種の貨幣を補充すべきかを目立たせることができる。このため、操作者等の補充処理者は、補充処理を行う際に、どの金種の貨幣を補充すべきかを容易に把握することできる。この結果、補充処理者は、効率よく補充処理を行うことができる。
【０１３５】
ちなみに、補充処理モードにおいて、制御部１０がある金種の金種別収納部１６１，２６１に収納された貨幣の枚数が閾値以上であると判断したときに、表示部４０が、当該ある金種の金種別収納部１６１，２６１に収納された貨幣の枚数に関する在高情報を表示せず、他方、補充処理モードにおいて、制御部１０がある金種の金種別収納部１６１，２６１に収納された貨幣の枚数が閾値未満であると判断したときに、表示部４０が、当該ある金種の金種別収納部１６１，２６１に収納された貨幣の枚数に関する在高情報を表示する態様（第四の態様を参照）を採用した場合には、補充すべき金種の在高情報のみが表示されることから、どの金種の貨幣を補充すべきかを、補充処理者がより容易に把握することができる。
【０１３６】
さらに、補充処理モードにおいて、装置制御部１１がある金種の金種別収納部１６１，２６１に収納された貨幣の枚数が第一閾値以上であると判断した場合に、操作表示部１５２が、当該ある金種の金種別収納部１６１，２６１に収納された貨幣の枚数に関する在高情報を表示せず、他方、補充処理モードにおいて、装置制御部１１がある金種の金種別収納部１６１，２６１に収納された貨幣の枚数が第一閾値未満であると判断した場合に、操作表示部１５２が、当該ある金種の金種別収納部１６１，２６１に収納された貨幣の枚数に関する在高情報を表示するようにした場合であって（第四の態様を参照）、装置制御部１１がある金種の金種別収納部１６１，２６１に収納された貨幣の枚数が第二閾値以上であると判断した場合と第二閾値未満であると判断した場合とで、当該ある金種に関する情報又は当該ある金種に関する情報を表示する領域の背景を操作表示部１５２が異なる色で表示するようにした場合（第三の態様を参照）には、第一閾値と第二閾値の二段階で操作者に在高に関する情報を提供することができる。このため、より効率よく、補充処理を行うことができる。
【０１３７】
ちなみに、音声を用いて情報を報知する音声報知部（図示せず）がさらに設けられていてもよい。そして、この音声報知部によって、各金種の在高に関する情報が音声で報知されてもよい。この際、在高が第一閾値未満である旨や第二閾値未満である旨が報知されるようにしてもよい。また、パトランプ等の補助報知部（図示せず）が設けられており、在高が第一閾値未満の貨幣がある旨や第二閾値未満の貨幣がある旨が補助報知部を介して（例えばパトランプの色を変えて）報知されるようにしてもよい。
【０１３８】
また、操作表示部１５２での表示態様とＰＯＳ表示部３５１での表示態様が全く同一又は略同一になっていてもよい。このような態様を採用した場合には、操作表示部１５２及びＰＯＳ表示部３５１において同じ表示態様を用いて、操作者が在高を確認することができ、直感的に在高を把握しやすくなる点で有益である。また、出納室や会計室に設置された上位装置の表示部（外部表示部に含まれる。）においても、操作表示部１５２での表示態様及び／又はＰＯＳ表示部３５１での表示態様と全く同一又は略同一になっていてもよい。この際にも、管理者等が直感的に在高を把握しやすくなる点で有益である。
【０１３９】
ところで、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。このため、上述した実施の形態のように入金処理が可能となった貨幣処理装置１００，２００ではなく、入金処理を行うことができず出金処理のみが可能となった貨幣処理装置を採用することもできる。また、貨幣処理装置１００，２００は貨幣釣銭機である必要はなく、銀行等の金融機関の窓口に設置される貨幣入出金機１００’，２００’（図１４を参照）を採用することもできる。なお、符号１５２’は、貨幣入出金機１００’，２００’における表示部を示している。
【０１４０】
また、上記では、操作表示部１５２による操作態様を中心に説明してきたが、操作表示部１５２で行っていた操作を、ボタン式操作部１５３や、ＰＯＳ操作部３５２及び外付けの操作部を含む外部装置の外部操作部から行ってもよい。また、上記では、装置記憶部６０で情報が記憶されている旨説明してきたが、装置記憶部６０で記憶されていた内容を、ＰＯＳ記憶部３０５及びサーバ４００の記憶部（図示せず）を含む外部装置の外部記憶部で記憶してもよい。
【符号の説明】
【０１４１】
４０          表示部
６０          記憶部
１００        硬貨処理装置
１５２        操作表示部（操作部、表示部）
１５３        ボタン式操作部（操作部）
２００        紙幣処理装置
３００        ＰＯＳレジスタ
３５１        ＰＯＳ表示部（表示部）
３５２        ＰＯＳ操作部（操作部）
５００        棒金管理機
【図１】
2016085596.tif 000003
【図２】
2016085596.tif 000004
【図３】
2016085596.tif 000005
【図４】
2016085596.tif 000006
【図５】
2016085596.tif 000007
【図６】
2016085596.tif 000008
【図７】
2016085596.tif 000009
【図８】
2016085596.tif 000010
【図９】
2016085596.tif 000011
【図１０】
2016085596.tif 000012
【図１１】
2016085596.tif 000013
【図１２】
2016085596.tif 000014
【図１３】
2016085596.tif 000015
【図１４】
2016085596.tif 000016